(57)【要約】      （修正有）【課題】コストの増加を防止しスループットを向上させる無線通信システム、通信制御方法、及び基地局装置を提供する。【解決手段】第１の通信可能領域を有する基地局装置と、第１の通信可能領域において基地局装置と接続して無線通信を行う端末装置とを備えた無線通信システムにおいて、基地局装置は、第１の通信可能領域から第１の通信可能領域とは異なる大きさで、第１の通信可能領域の一部又は全部が重複した第２又は第３の通信可能領域へ端末装置が移動するとき、第１乃至第３の通信可能領域の大きさ、又は端末装置から送信された端末装置の電源残量に応じて変更可能な移動条件に基づいて、端末装置の移動先を決定する判定部と、決定した移動先に関する情報を送信する送信部を備え、端末装置は、決定した移動先に関する情報を受信する受信部を備え、決定した移動先に関する情報に従って第２又は第３の通信可能領域へ移動する。【選択図】図８
2015023449.tif 000002
【特許請求の範囲】
【請求項１】
第１の通信可能領域を有する基地局装置と、前記第１の通信可能領域において前記基地局装置と接続して無線通信を行う端末装置とを備えた無線通信システムにおいて、
前記基地局装置は、前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定する判定部と、
前記決定した移動先に関する情報を送信する送信部を備え、
前記端末装置は前記決定した移動先に関する情報を受信する受信部を備え、前記端末装置は前記決定した移動先に関する情報に従って前記第２又は第３の通信可能領域へ移動することを特徴とする無線通信システム。
【請求項２】
前記移動条件には第１の移動条件と第２の移動条件が含まれ、
前記第１の移動条件には前記第１の通信可能領域が前記第２及び第３の通信可能領域よりも大きいときの移動条件が含まれ、
前記第２の移動条件には前記第１の通信可能領域が前記第２及び第３の通信可能領域よりも小さいときの移動条件が含まれることを特徴とする請求項１記載の無線通信システム。
【請求項３】
前記第１の移動条件には、前記第２の移動条件よりも、前記端末装置の移動が行われない条件が含まれることを特徴とする請求項２記載の無線通信システム。
【請求項４】
前記第１の移動条件には、前記第２の移動条件よりも、前記端末装置の移動が行われる条件が含まれることを特徴とする請求項２記載の無線通信システム。
【請求項５】
前記移動条件には第３及び第４の移動条件が含まれ、
前記第３の移動条件には前記電源残量が第５の閾値以下のときにおける移動条件が含まれ、
前記第４の移動条件には前記電源残量が前記第５の閾値より大きいときにおける移動条件が含まれることを特徴とする請求項１記載の無線通信システム。
【請求項６】
前記第３の移動条件には、前記第４の移動条件よりも、前記端末装置の移動が行われる条件が含まれることを特徴とする請求項５記載の無線通信システム。
【請求項７】
前記移動条件には前記電源残量と前記第１乃至第３の通信可能領域の大きさに基づいて異なる第５及び第６の移動条件が含まれることを特徴とする請求項１記載の無線通信システム。
【請求項８】
前記第５の移動条件には前記電源残量が第５の閾値以下のときにおける移動条件が含まれ、
前記第６の移動条件には前記電源残量が前記第５の閾値より大きいときであって、前記第１の通信可能領域が前記第２及び第３の通信可能領域よりも大きいときと前記第１の通信可能領域が前記第２及び第３の通信可能領域よりも小さいときのいずれか一方が、他方と比較して前記端末装置の移動が行われない条件が含まれることを特徴とする請求項７記載の無線通信システム。
【請求項９】
前記移動条件には、前記第１乃至第３の通信可能領域の大きさと前記端末装置から送信された要求スループットとに基づいて異なる第７及び第８の移動条件が含まれることを特徴とする請求項１記載の無線通信システム。
【請求項１０】
前記第７の移動条件には前記要求スループットが第９の閾値以下のときであって、前記第１の通信可能領域が前記第２及び第３の通信可能領域よりも大きいときは前記第１の通信可能領域が前記第２及び第３の通信可能領域よりも小さいときよりも前記端末装置が移動しない条件が含まれ、
前記第８の移動条件には前記要求スループットが第１０の閾値より高いときにおける移動条件が含まれることを特徴とする請求項９記載の無線通信システム。
【請求項１１】
第１の通信可能領域を有する基地局装置と、前記第１の通信可能領域において前記基地局装置と接続して無線通信を行う端末装置とを備えた無線通信システムにおける無線通信制御方法であって、
前記基地局装置によって、前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定し、
前記基地局装置によって、前記決定した移動先に関する情報を送信し、
前記端末装置によって、前記決定した移動先に関する情報を受信し、前記決定した移動先に関する情報に従って前記第２又は第３の通信可能領域へ移動する
ことを特徴とする無線通信制御方法。
【請求項１２】
第１の通信可能領域を有し、前記第１の通信可能領域において端末装置と接続して無線通信を行う基地局装置において、
前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定する判定部と、
前記決定した移動先に関する情報を前記端末装置へ送信する送信部と
を備えることを特徴とする基地局装置。
【発明の詳細な説明】
【技術分野】
【０００１】
本発明は、無線通信システム、通信制御方法、及び基地局装置に関する。
【背景技術】
【０００２】
現在、携帯電話システムや無線ＬＡＮ（Local Area Network）などの無線通信システムが広く利用されている。また、無線通信の分野では、通信速度や通信容量を更に向上させるべく、次世代の通信技術について継続的な議論が行われている。例えば、標準化団体である３ＧＰＰ（3rd Generation Partnership Project）では、ＬＴＥ（Long Term Evolution）やＬＴＥをベースとしたＬＴＥ−Ａ（LTE-Advance）などの通信規格の標準化が完了若しくは検討されている。
【０００３】
このような無線通信システムにおいて、ＨｅｔＮｅｔ（HeterogenousNetwork）と呼ばれるネットワークが注目されつつある。例えば、ＨｅｔＮｅｔではマクロセルやピコセル、マイクロセルなど様々なサイズのセルが階層化されたネットワークであり、各セルは異なる無線通信方式（ＬＴＥと３Ｇなど）や異なる周波数帯を利用して無線通信が行われる。ＨｅｔＮｅｔでは、セルが階層化されることで、移動通信システム全体の容量（キャパシティ）を向上させることができる。
【０００４】
一方、無線通信システムにおいては、ハンドオーバ（又はハンドオフ）と呼ばれる技術がある。ハンドオーバは、例えば、端末装置が接続する基地局装置を切り替えながら無線通信を行う技術である。ハンドオーバにより、例えば、端末装置は継続して無線通信を行うことができる。
【０００５】
このような無線通信に関する技術としては、例えば、以下のような技術がある。
【０００６】
すなわち、階層型セル構成を採用した無線移動通信システムにおいて、移動局装置は、一定時間内におけるセルセレクション回数及び／又はセルリセレクション回数が一定値に達するまでの所要時間と閾値とを比較して移行先セルを選択し、待ち受け状態に移行する技術がある。
【０００７】
この技術によれば、例えば、各移動局装置を移動速度およびセル構成に応じた適切な大きさのセルに在圏させることができる、とされる。
【０００８】
また、異種アクセスシステムにおいて、現在接続されるアクセスシステムで測定されるサービスの品質（ＱｏＳ）を観測し、ＱｏＳが予め決定された閾値以下になる場合、該当サービスのための最適なアクセスシステムを検索して選択する技術もある。
【０００９】
この技術によれば、例えば、異種のアクセスシステムが混在した移動ネットワーク環境において、最適のアクセスシステムを選択する方法及び装置を提供することができる、とされる。
【００１０】
さらに、端末装置によるハンドオーバを制御するための通信制御装置であって、位置情報履歴に含まれるセルＩＤによって特定されるそれぞれのセルに対して、端末装置が接続すべきことが適切でないセルＩＤを位置情報履歴から除く技術もある。
【００１１】
この技術によれば、例えば、端末装置がハンドオーバによって接続するセルを切り替える順序を最適化することができる、とされる。
【先行技術文献】
【特許文献】
【００１２】
【特許文献１】国際公開番号ＷＯ２００８／００１４５２号公報
【特許文献２】特開２０１０−２５２３３５号公報
【特許文献３】特開２０１１−２１７０５８号公報
【発明の概要】
【発明が解決しようとする課題】
【００１３】
ＨｅｔＮｅｔでは、例えば、マクロセル内に、マクロセルよりもセル範囲が小さいマイクロセルやピコセル、フェムトセルなどの小セルが存在する。そのため、端末装置は、マクセルセル内を移動しているときでも、マクロセル内の小セルへの移動によってハンドオーバする場合がある。このため、ＨｅｔＮｅｔでは、ＨｅｔＮｅｔ構成ではない無線通信システムと比較して、端末装置におけるハンドオーバの発生頻度が多くなる。これにより、ＨｅｔＮｅｔでは、端末装置と基地局装置間においてハンドオーバに関するメッセージが増加し、基地局装置における処理キャパシティが逼迫する場合がある。このような場合において、基地局装置を増設させて対処することは、基地局装置のコストを増加させ、基地局装置を運用するオペレータに負担をかけることになる。
【００１４】
上述した、セルリセレクション回数等が一定値に達するまでの所要時間と閾値とを比較して移行先セルを選択する技術は、移動局装置が待ち受け状態となって適切なセルに移行するまで、何度もセルリセレクション等が行われる場合がある。
【００１５】
従って、この技術では、移動局装置が何度もセルリセレクション等を行うことで、階層化されたセルを何度もハンドオーバする場合があり、これにより、ハンドオーバメッセージが増加する場合がある。また、かかる技術では、ハンドオーバメッセージの増加により、データなどを送信するための無線リソースが有効活用されず、スループットが低減する場合もある。
【００１６】
また、ＱｏＳが予め決定された閾値以下になる場合に最適なアクセスシステムを検索する技術は、ＨｅｔＮｅｔにおけるハンドオーバメッセージの増加に対する対処については開示がない。さらに、端末装置が接続すべきことが適切でないセルＩＤを位置情報履歴から除く技術についても、ＨｅｔＮｅｔにおけるハンドオーバメッセージの増加に対する対処については開示がない。
【００１７】
従って、これらの技術では、ハンドオーバメッセージの増加に対する対処については開示がないため、基地局装置に対するコストを増加させ、また、無線通信システム全体のスループットを低減させる場合もある。
【００１８】
そこで、一目的は、コストの増加を防止するようにした無線通信システム、通信制御方法、及び基地局装置を提供することにある。
【００１９】
また、一目的は、スループットを向上させるようにした無線通信システム、通信制御方法、及び基地局装置を提供することにある。
【課題を解決するための手段】
【００２０】
一開示は、第１の通信可能領域を有する基地局装置と、前記第１の通信可能領域において前記基地局装置と接続して無線通信を行う端末装置とを備えた無線通信システムにおいて、前記基地局装置は、前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定する判定部と、前記決定した移動先に関する情報を送信する送信部を備え、前記端末装置は前記決定した移動先に関する情報を受信する受信部を備え、前記端末装置は前記決定した移動先に関する情報に従って前記第２又は第３の通信可能領域へ移動する。
【発明の効果】
【００２１】
コストの増加を防止するようにした無線通信システム、通信制御方法、及び基地局装置を提供することができる。また、スループットを向上させるようにした無線通信システム、通信制御方法、及び基地局装置を提供することができる。
【図面の簡単な説明】
【００２２】
【図１】図１は無線通信システムの構成例を表わす図である。
【図２】図２は無線通信システムの構成例を表わす図である。
【図３】図３はセル構成の例を表わす図である。
【図４】図４は基地局の構成例を表わす図である。
【図５】図５はＢＢ部の構成例を表わす図である。
【図６】図６は端末の構成例を表わす図である。
【図７】図７（Ａ）及び図７（Ｂ）はテーブルの例を表わす図である。
【図８】図８（Ａ）及び図８（Ｂ）はテーブルの例を表わす図である。
【図９】図９はハンドオーバ先決定処理の動作例を表わすフローチャートである。
【図１０】図１０（Ａ）及び図１０（Ｂ）はセル構成の例を表わす図である。
【図１１】図１１はテーブルの例を表わす図である。
【図１２】図１２（Ａ）及び図１２（Ｂ）はテーブルの例を表わす図である。
【図１３】図１３はハンドオーバ先決定処理の動作例を表わすフローチャートである。
【図１４】図１４（Ａ）及び図１４（Ｂ）はテーブルの例を表わす図である。
【図１５】図１５（Ａ）及び図１５（Ｂ）はテーブルの例を表わす図である。
【図１６】図１６はハンドオーバ先決定処理の動作例を表わすフローチャートである。
【図１７】図１７（Ａ）及び図１７（Ｂ）はテーブルの例を表わす図である。
【図１８】図１８（Ａ）及び図１８（Ｂ）はテーブルの例を表わす図である。
【図１９】図１９はハンドオーバ先決定処理の動作例を表わすフローチャートである。
【図２０】図２０はＢＢ部の構成例を表わす図である。
【発明を実施するための形態】
【００２３】
以下、本発明を実施するための形態について説明する。
【００２４】
［第１の実施の形態］
最初に第１の実施の形態について説明する。図１は第１の実施の形態における無線通信システム１００の構成例を表わす図である。
【００２５】
無線通信システム１００は、基地局装置１０と端末装置３０を備える。
【００２６】
基地局装置１０は、第１の通信可能領域１０−Ｘ１を有する。端末装置３０は第１の通信可能領域１０−Ｘ１において基地局１００と接続して無線通信を行う。
【００２７】
また、基地局装置１０は、判定部１２０と送信部１２１を備える。
【００２８】
判定部１２０は、第１の通信可能領域１０−Ｘ１から、第２又は第３の通信可能領域１０−Ｘ２，１０−Ｘ３へ端末装置３０が移動するとき、第１乃至第３の通信可能領域１０−Ｘ１〜１０−Ｘ３の大きさに応じて変更可能な移動条件に基づいて、端末装置３０の移動先を決定する。
【００２９】
また、判定部１２０は、第１の通信可能領域１０−Ｘ１から、第２又は第３の通信可能領域１０−Ｘ２，１０−Ｘ３へ端末装置３０が移動するとき、端末装置３０から送信された端末装置３０の電源残量に応じて変更可能な移動条件に基づいて、端末装置３０の移動先を決定する。
【００３０】
なお、第２又は第３の通信可能領域１０−Ｘ２，１０−Ｘ３は、第１の通信可能領域１０−Ｘ１とは異なる大きさであって第１の通信可能領域１０−Ｘ１の一部又は全部が重複した領域に配置されている。例えば、このような第１から第３の通信可能領域１０−Ｘ１〜１０−Ｘ３の配置により、本無線通信システム１００はＨｅｔＮｅｔ構成となっている。
【００３１】
送信部１２１は、決定した移動先に関する情報を端末装置３０へ送信する。
【００３２】
端末装置３０は受信部３１０を備える。受信部３１０は、基地局装置１０において決定された移動先に関する情報を受信する。端末装置３０は、当該情報に従って第２又は第３の通信可能領域１０−Ｘ２，１０−Ｘ３へ移動する。
【００３３】
例えば、移動条件は、基地局装置１０を運用するオペレータが基地局装置１０を操作することによって変更可能となっている。従って、移動条件が一律に決定された場合と比較して、本無線通信システム１００ではオペレータの運用条件を反映させた移動条件を設定することができる。この場合において、例えば、基地局装置１０に対して新たに装置を追加したりすることなく、移動条件を変更できるため、コストを増加させることもない。
【００３４】
また、この移動条件について、例えば、第１の通信可能領域１０−Ｘ１から第２又は第３の通信可能領域１０−Ｘ２，１０−Ｘ３への移動は、第２又は第３の通信可能領域１０−Ｘ２，１０−Ｘ３から第１の通信可能領域１０−Ｘ１への移動と比較し、異なる条件とすることも可能である。
【００３５】
例えば、移動条件は、第１乃至第３の通信可能領域１０−Ｘ２，１０−Ｘ３の大きさに応じて変更可能である。また、移動条件は、端末装置３０から送信された端末装置３０の電源残量に応じて変更可能である。
【００３６】
これにより、例えば、移動条件が一律の場合と比較して、第２又は第３の通信可能領域１０−Ｘ２，１０−Ｘ３の大きさや端末装置３０の電源残量に応じて端末装置３０が移動し難い移動条件とすることも可能で、端末装置３０の移動頻度も少なくさせることもできる。
【００３７】
よって、端末装置３０の移動に伴う端末装置３０と基地局装置１０との間で交換されるメッセージも少なくなり、端末装置３０と基地局装置１０との間でその分多くのデータを交換することができ、スループットの向上を図ることができる。
【００３８】
［第２の実施の形態］
次に、第２の実施の形態について説明する。最初に本第２の実施の形態における無線通信システムの構成例について説明する。
【００３９】
＜通信ネットワークシステムの構成例＞
図２は、第２の実施の形態における無線通信システム１００の構成例を表わす図である。無線通信システム１００は、基地局装置（以下、基地局と称する場合がある）１０−１〜１０−７と、端末装置（以下、端末と称する場合がある）３０を備える。
【００４０】
本無線通信システム１００は、例えば、ＨｅｔＮｅｔ（HeterogenousNetwork）の無線通信システムである。ＨｅｔＮｅｔとは、例えば、それぞれ異なる大きさ又は範囲のセルが階層化された無線通信システムによるネットワークである。ＨｅｔＮｅｔにおいて各セルは、例えば、他のセルと異なる無線通信方式（ＬＴＥと３Ｇなど）や異なる周波数帯を利用して無線通信が行われる。
【００４１】
なお、セルとは、例えば、各基地局１０−１〜１０−７が端末３０と無線通信を行うことのできる（又はサービスを提供することのできる）通信範囲又は通信領域のことである。ただし、以下においてはセルと基地局１０−１〜１０−７とを同じ意味で用いる場合もある。
【００４２】
図２に示す無線通信システム１００の例では、基地局１０−１はマクロセル１０−Ａを有し、基地局１０−２，１０−５はマイクロセル１０−Ｂ，１０−Ｅをそれぞれ有する。また、基地局１０−３，１０−６はピコセル１０−Ｃ，１０−Ｆをそれぞれ有し、基地局１０−４，１０−７はフェムトセル１０−Ｄ，１０−Ｇをそれぞれ有する。
【００４３】
図２の例では、セルの大きさ（サイズ又は範囲）は、マクロセル１０−Ａが最も大きく、マイクロセル１０−Ｂ，１０−Ｅ、ピコセル１０−Ｃ，１０−Ｆの順で小さくなり、フェムトセル１０−Ｄ，１０−Ｇが最も小さい。
【００４４】
また、図２の例では、マクロセル１０−Ａの領域内にマイクロセル１０−Ｂやピコセル１０−Ｃ、或いはフェムトセル１０−Ｄが配置される。このように、ＨｅｔＮｅｔは、異なるサイズのセルの一部又は全部の領域が同一領域で重複して配置され、階層的なセル配置となっている。また、マイクロセル１０−Ｅ内に、ピコセル１０−Ｆとフェムトセル１０−Ｇと配置されるため、階層的なセル配置となっている。
【００４５】
さらに、図２の例では、各基地局１０−１〜１０−７が１つのセル１０−Ａ〜１０−Ｇを有する例を示しているが、１つの基地局１０−１が複数のセル１０−Ａ〜１０−Ｇを有していてもよい。
【００４６】
図２の例では、端末３０がマクロセル１０−Ａからマイクロセル１０−Ｅへハンドオーバしている様子を示している。端末３０がマクロセル１０−Ａからマイクロセル１０−Ｅへハンドオーバすることで、基地局１０−１が収容する端末の数が減少し、基地局１０−１において収容可能な端末数が増加する。これにより、例えば、無線通信システム１００全体の容量を増加させることができる。
【００４７】
なお、端末３０は、最も大きいセルサイズを有するマクロセル１０−Ａから、マクロセル１０−Ａよりもセルサイズが小さいマイクロセル１０−Ｂ、ピコセル１０−Ｃ、又はフェムトセル１０−Ｄへハンドオーバすることもできるし、その逆方向へハンドオーバすることができる。さらに、端末３０は、マイクロセル１０−Ｅから、ピコセル１０−Ｆやフェムトセル１０−Ｇへハンドオーバしたり、ピコセル１０−Ｆからフェムトセル１０−Ｇへハンドオーバすることもでき、さらに、これらの逆方向へハンドオーバすることもできる。
【００４８】
このようにＨｅｔＮｅｔの無線通信システム１００においては、基地局１０−１〜１０−７は、ハンドオーバ元のセルから当該セルと全部又は一部が重複するハンドオーバ先のセルへのハンドオーバを許容している。例えば、このような重複した領域を有するセルにより、セルが階層化される。例えば、図２の例では、マクロセル１０−Ａ内に他のセル１０−Ｂ〜１０−Ｇが収容される例を表わしているが、マクロセル１０−Ａの一部と重複して他のセル１０−Ｂ〜１０−Ｇが配置されてもよい。
【００４９】
基地局１０−１〜１０−７は、各セル１０−Ａ〜１０−Ｇ内において端末３０と無線通信を行う無線通信装置である。基地局１０−１〜１０−７は、各セル１０−Ａ〜１０−Ｇ内に在圏する端末３０に対して、通話や映像配信、Ｗｅｂページへのアクセスなど様々なサービスを提供する。
【００５０】
また、各基地局１０−１〜１０−７は、例えば、ネットワークを介して互いに接続され、他の基地局へデータなどを送信し又は受信する。さらに、各基地局１０−１〜１０−７は、例えば、ネットワークを介して上位装置と接続され、上位装置から送信されたデータなどを下り通信リンクを介して端末３０へ送信したり、端末３０から上り通信リンクを介して送信されたデータなどを上位装置へ送信することもできる。
【００５１】
端末３０は、例えば、基地局１０−１〜１０−７と無線通信を行う無線通信装置である。端末３０は、例えば、フィーチャーフォンやスマートフォンなどである。
【００５２】
なお、図２に示す無線通信システム１００は一例であり、基地局１０−１〜１０−７はＨｅｔＮｅｔ構成であれば台数に制限はない。また、端末３０も複数台であってもよい。
【００５３】
＜セルＩＤについて＞
次に、セルＩＤについて説明する。図３はセル構成の例を表わす図である。ただし、図３のセル構成はＨｅｔＮｅｔ構成とはなっていない。
【００５４】
図３に示すように、基地局１０−１０は３つのセル１０−Ｈ〜１０−Ｊを有し、各セル１０−Ｈ〜１０−Ｊに対してセルＩＤとして「１」〜「３」が割り当てられている。セルＩＤは、例えば、他のセルと自セルとを識別するための識別子であり、本第２の実施の形態では番号によって識別される。
【００５５】
例えば、基地局１０−１１は、セル１０−Ｋ〜１０−Ｍを有し、セルＩＤとして「５」〜「７」がそれぞれのセルに割り当てられている。このようなセルＩＤは、例えば、基地局設置前のセル設計の際に各セルに対して一意に割り当てられる。
【００５６】
なお、図３の例では、端末３０は基地局１０−１１のセルＩＤ＝「５」のセル１０−Ｌから、基地局１０−１２のセルＩＤ＝「７」のセル１０−Ｎへ移動している様子を示している。
【００５７】
また、各基地局１０−１０〜１０−１５は３つのセルを有しているが、セル個数は１つでもよいし、複数であってもよい。さらに、図２の例では、各基地局１０−１〜１０−７は１つのセルを有している例を表わしているが、複数のセルを有してもよい。
【００５８】
＜基地局１０の構成例＞
次に、基地局１０と端末３０の構成例について説明する。図４は基地局１０、図６は端末３０の構成例をそれぞれ表わす図である。基地局１０は、例えば、図２における基地局１０−１〜１０−７、図３における基地局１０−１０〜１０−１５に対応する。
【００５９】
基地局１０は、ＢＢ（Base Band）部１１、ＤＰＤ／ＤＡＣ（Digital Pre-Distortion/Digital to Analogue Converter）１２、ＰＡ（Power Amplifier）１３、Ｆｉｌｔｅｒ１４、アンテナ１５ａ，１５ｂを備える。また、基地局１０は、ＬＮＡ（Low Noise Amplifier）１６、ＡＤＣ（Analogue to Digital Converter）１７、Ｅｔｈｅｒ終端部１９、メモリ１０、及び電源モジュール２０を備える。
【００６０】
ＢＢ部１１は、Ｅｔｈｅｒ終端部１８から受け取ったデータに対して、誤り訂正符号化処理や変調処理などを施して出力信号に変換する。ＢＢ部１１は、さらに、シリアル形式の出力信号をパラレル形式の出力信号へ変換することで、出力信号を同相成分信号（Ｉ信号：In-Phase component）と直交成分信号（Ｑ信号：Quadrature component）の２系列に変換する。ＢＢ部１１は、２系列に変換した出力信号をＤＰＤ／ＤＡＣ１２へ出力する。
【００６１】
また、ＢＢ部１１は、ＡＤＣ１７から受け取った入力信号に対して、シリアル形式への変換、復調処理、誤り訂正復号化処理などを施すことで、データを抽出する。ＢＢ部１１は、抽出したデータをＥｔｈｅｒ終端部１８へ出力する。
【００６２】
ＢＢ部１１では、このような誤り訂正符号化処理や変調処理、パラレル形式への変換などが行われるように誤り訂正符号化回路や変調回路、シリアル／パラレル変換回路などを備えるようにしてもよい。
【００６３】
さらに、ＢＢ部１１は、例えば、ハンドオーバストラテジーに従ってハンドオーバ条件に関する情報を内部のテーブルに格納し、端末３０から送信された報告情報に基づいて、ハンドオーバ条件を満足するハンドオーバ先のセルを決定する。詳細については後述する。ＢＢ部１１は、ハンドオーバ先を決定すると、ハンドオーバに関する一連のメッセージを生成し、端末３０やハンドオーバ先のセルを収容する基地局との間でメッセージを交換する。
【００６４】
ＤＰＤ／ＤＡＣ１２は、Ｉ信号とＱ信号の２系列を含む出力信号をＢＢ部１１から受け取り、出力信号に対して歪補償処理（又はデジタルプリディストーション処理）を施して、ＰＡ１３における入出力特性の歪を補償する。また、ＤＰＤ／ＤＡＣ１２は、歪補償処理されたデジタル形式の出力信号をアナログ形式の出力信号に変換する。ＤＰＤ／ＤＡＣ１２はアナログ形式に変換した出力信号をＰＡ１３へ出力する。
【００６５】
ＰＡ１３は、ＤＰＤ／ＤＡＣ１２から出力された出力信号を増幅してＦｉｌｔｅｒ１４へ出力する。
【００６６】
Ｆｉｌｔｅｒ１４は、例えば、ＰＡ１３から出力された出力信号のうち一定の周波数成分をフィルタリングすることで、出力信号を無線帯域の無線信号に変換（アップコンバート）する。Ｆｉｌｔｅｒ１４は無線信号をアンテナ１５ａへ出力する。
【００６７】
また、Ｆｉｌｔｅｒ１４は、アンテナ１５ｂから出力された無線信号を受け取り、例えば一定の周波数成分をフィルタリングすることで、無線帯域の無線信号をベースバンド帯域の入力信号へ変換（ダウンコンバート）する。Ｆｉｌｔｅｒ１４は、例えば、周波数変換回路として機能する。Ｆｉｌｔｅｒ１４は、変換後の入力信号をＬＮＡ１６へ出力する。
【００６８】
アンテナ１５ａは、例えば、送信アンテナであり、Ｆｉｌｔｅｒ１４から出力された無線信号を端末３０へ送信する。また、アンテナ１５ｂは、例えば、受信アンテナであり、端末３０から送信された無線信号を受信し、受信した無線信号をＦｉｌｔｅｒ１４へ出力する。
【００６９】
ＬＮＡ１６は、例えば、低雑音増幅器であって、Ｆｉｌｔｅｒ１４から出力される入力信号を増幅し、端末３０から送信された微弱な入力信号を増幅させることができる。
【００７０】
ＡＤＣ１７は、ＬＮＡ１６から出力されたアナログ形式の入力信号をデジタル形式に変換する。ＡＤＣ１７は、デジタル形式に変換後の入力信号をＢＢ部１１へ出力する。
【００７１】
Ｅｔｈｅｒ終端部１８は、例えば、上位装置から送信されたパケットデータなどを受信してこれを終端し、パケットデータのペイロード領域からデータなどを抽出する。パケットデータは、例えば、ＴＣＰ（Transmission Control Packet）形式となっている。Ｅｔｈｅｒ終端部１８は、抽出したデータをＢＢ部１１へ出力する。
【００７２】
また、Ｅｔｈｅｒ終端部１８は、ＢＢ部１１から出力されたデータをパケット形式のデータに変換し、上位装置へ送信する。Ｅｔｈｅｒ終端部１８は、メモリ１９に適宜アクセスして、パケットデータに対する処理を行う。
【００７３】
メモリ１９は、例えば、Ｅｔｈｅｒ終端部１８から出力されたデータなどを記憶する。記憶されたデータなどは適宜Ｅｔｈｅｒ終端部１８によって読み出される。
【００７４】
電源モジュール２０は、例えば、基地局１０内部に電気を供給する電源部であり、外部から供給された電気をメモリ１９、ＡＤＣ１７、ＰＡ１３、及びＬＮＡ１６などに供給する。
【００７５】
＜ＢＢ部１１の構成例＞
次にＢＢ部１１の構成例について説明する。図５はＢＢ部１１の構成例を表わす図である。図５に示すＢＢ部１１は、例えば、ハンドオーバ先のセルを決定する処理を行う部分を示している。
【００７６】
ＢＢ部１１は、インタフェース１１０、端末受信報告処理部１１１、記憶部１１２、データベース１１３、及び判定部１１４を備える。
【００７７】
なお、第１の実施の形態における判定部１２０は、例えば、判定部１１４に対応する。また、第１の実施の形態における送信部１２１は、例えば、インタフェース１１０、ＤＰＤ／ＤＡＣ１２、ＰＡ１３、Ｆｉｌｔｅｒ１４、及び送信アンテナ１５ａに対応する。
【００７８】
インタフェース１１０は、ＢＢ部１１内で処理されたデータなどを他のブロック（ＤＰＤ／ＤＡＣ１２、ＡＤＣ１７、Ｅｔｈｅｒ終端部１８）へ出力したり、他のブロックから出力されたデータなどをＢＢ部１１内に取り込み、端末受信報告処理部１１１へ出力する。
【００７９】
本第２の実施の形態において、インタフェース１１０は、例えば、ＡＤＣ１７から出力されたデータのうち報告メッセージを抽出し、端末受信報告処理部１１１へ出力する。報告メッセージは端末３０から送信されたものであり、端末３０において測定された報告情報が含まれる。報告情報の詳細は後述する。
【００８０】
また、インタフェース１１０は、判定部１１４から出力されたハンドオーバ先の情報などを受け取って、ハンドオーバに関する処理を実行する。例えば、インタフェース１１０はハンドオーバに関するメッセージを生成し、端末３０やハンドオーバ先の基地局との間でメッセージを交換したり、端末３０やハンドオーバ先の基地局から送信されたメッセージを終端する。なお、ハンドオーバに関する処理はＢＢ部１１内の他の処理ブロック（図５において図示されていないブロックを含む）で行われてもよい。
【００８１】
端末受信報告処理部１１１は、インタフェース１１０から出力された報告メッセージを受け取り、報告情報を抽出する。報告情報としては、例えば、
（１）端末３０が在圏するセルのセルＩＤと、在圏セルを収容する基地局１０から送信された信号の端末３０における受信信号レベル、
（２）端末３０が在圏するセル周辺のセルＩＤと、周辺セルを収容する基地局（接続中の基地局１０を含む）から送信された信号の端末３０における受信信号レベル、
（３）端末３０のバッテリー残量情報（又は電源残量情報）、
（４）端末３０が要求する要求スループット、
などがある。
【００８２】
このような報告情報は、例えば、端末３０において生成されて報告メッセージに含めて送信される。
【００８３】
受信信号レベルは、例えば、ＲＳＳＩ（Received Signal Strength Indicator）、ＲＳＲＰ（Reference Signal Receive Power）、Ｐｉｌｏｔ  Ｅｃ／Ｉｏ（パイロット信号電力と総電力との比）などにより表わされる。また、バッテリー残量情報は、例えば、９５％残、６０％残、２０％残など、端末３０におけるバッテリーの残量を表わす情報である。さらに、端末３０の要求スループットは、例えば、１Ｍｂｐｓ以上、５Ｍｂｐｓ以上など、端末３０が基地局１０へデータなどを送信するときに要求するスループットを表わす情報となっている。
【００８４】
端末受信報告処理部１１１は、抽出した報告情報の一部又は全部を記憶部１１２へ出力し、報告情報のうちハンドオーバ候補先セルの受信信号レベルを判定部１１４へ出力する。
【００８５】
記憶部１１２は、例えば、メモリなどであって、報告情報を記憶する。また、記憶部１１２は、判定部１１４により優先順位付けられたハンドオーバの候補先のセルに関する情報が記憶されたテーブルを記憶する。テーブルの詳細は後述する。記憶された報告情報などは、判定部１１４やデータベース１１３によって適宜読み出される。
【００８６】
データベース１１３は、例えば、メモリなどであって、ハンドオーバ条件などに関する情報が記憶されたテーブルを記憶する。かかるテーブルの詳細も後述する。なお、データベース１１３に記憶されるテーブルは、例えば、オペレータによる入力や上位装置からのダウンロードなどにより、ハンドオーバ条件などに関する情報が適宜変更される。
【００８７】
判定部１１４は、ハンドオーバ候補先のセルについて一時優先順位付けを行い、その結果を記憶部１１２にテーブルとして記憶する。例えば、判定部１１４は、端末受信報告処理部１１１から受け取ったハンドオーバ候補先セルの受信信号レベルに対して、当該受信信号レベルが高い順に順位付けを行う。
【００８８】
また、判定部１１４は、記憶部１１２に記憶された一時優先順位付けされたハンドオーバ候補先のセルに関する情報を読み出し、データベース１１３に記憶されたテーブルを照合してハンドオーバ条件を選択する。判定部１１４は、ハンドオーバ候補先セルがハンドオーバ条件を満足するか否かによりハンドオーバ先を決定する。判定部１１４は、決定したハンドオーバ先に関する情報をインタフェース１１０へ出力し、インタフェース１１０から端末３０へ送信される。端末３０は決定したハンドオーバ情報に従ってハンドオーバを行う。判定部１１４における処理の詳細は後述する。
【００８９】
＜端末３０の構成例＞
図６は端末３０の構成例を表わす図である。端末３０は、ＢＢ部３１、ＤＡＣ３２、ＰＡ３３、Ｆｉｌｔｅｒ３４、アンテナ３５ａ，３５ｂ、ＬＮＡ３６、ＡＤＣ３７、及び電源モジュール３８を備える。
【００９０】
なお、第１の実施の形態における受信部３１０は、例えば、アンテナ３５ａ，３５ｂ、Ｆｉｌｔｅｒ３４、ＬＮＡ３６、ＡＤＣ３７、及びＢＢ部３１に対応する。
【００９１】
ＢＢ部３１は、例えば、ＡＤＣ３７から出力された入力信号（例えばＩ信号とＱ信号の成分を含む）に対して、パラレル／シリアル変換、復調処理や誤り訂正復号化処理などを施すことで、基地局１０から送信されたデータなどを抽出する。ＢＢ部３１は、抽出したデータなどをマイクやモニタ画面などの他処理部へ出力し、音声出力したり、画像を表示させることができる。
【００９２】
また、ＢＢ部３１は、操作部などの他処理部から出力されたデータなどを受け取り、誤り訂正符号化処理や変調処理、シリアル／パラレル変換などを施して、出力信号としてＤＰＤ／ＤＡＣ３２へ出力する。
【００９３】
本第２の実施の形態において、ＢＢ部３１は、在圏セルやハンドオーバ候補先のセルの受信信号レベルを測定することができる。例えば、端末３０は基地局１０から送信されたパイロット信号の受信信号レベルを測定することで、当該セルの受信信号レベルを測定する。
【００９４】
図３の例では、端末３０は、セルＩＤ＝「５」のセルに在圏するとき、接続基地局１０−１１の当該セルに対応する送信アンテナ１５ａから送信されたパイロット信号を受信する。また、端末３０は、パイロット信号とともにセルＩＤに関する情報（セルＩＤ（＝「５」））も受信する。そして、端末３０は、パイロット信号の受信信号レベルを測定することで自セル（セルＩＤ（＝「５」））の受信信号レベルを測定できる。  
【００９５】
また、端末３０は、接続基地局１０−１１においてセルＩＤ＝「４」に対応する送信アンテナ１５ａから送信されたパイロット信号とセルＩＤ（セルＩＤ＝「４」）とを受信する。端末３０は、パイロット信号の受信信号レベルを測定することで、セルＩＤ＝「４」の受信信号レベルを測定できる。
【００９６】
なお、端末３０は、各セルに在圏するとき、周辺セルのセルＩＤを報知情報として受信する。これにより、例えば、端末３０は在圏セル以外の周辺セルのセルＩＤを取得できる。
【００９７】
図６に戻り、また、ＢＢ部３１は、端末３０におけるバッテリーの残量情報を取得することもできる。ＢＢ部３１は、例えば、電源モジュール３８に対する電圧を測定することでバッテリー残量を測定する。ＢＢ部３１は温度や充電サイクル数などのパラメータを加味してバッテリーの残量を測定してもよい。
【００９８】
さらに、ＢＢ部３１は、例えば、他処理部から出力されたデータを受け取り、当該データのデータ量に基づいて要求スループットを決定することもできる。
【００９９】
ＢＢ部３１は、受信信号レベルやバッテリー残量、要求スループットなどを含む報告情報を生成し、さらに、報告情報を含む報告メッセージを生成して、ＤＰＤ／ＤＡＣ３２などを介して基地局１０へ送信する。
【０１００】
ＤＰＤ／ＤＡＣ３２は、ＢＢ部３１から出力された出力信号に対して歪補償処理を施し、歪補償後の出力信号をアナログ信号へ変換する。
【０１０１】
ＰＡ３３は、ＤＰＤ／ＤＡＣ３２から出力された出力信号を増幅する。
【０１０２】
Ｆｉｌｔｅｒ３４は、ＰＡ３３から出力された出力信号に対して、所定周波数帯域の成分をフィルタリングすることで無線信号に変換（アンプコンバート）する。無線信号はアンテナ３５から基地局１０へ送信される。
【０１０３】
また、Ｆｉｌｔｅｒ３４は、アンテナ３５で受信した無線信号を受け取り、無線信号に対して所定周波数帯域の成分をフィルタリングすることで、無線信号をベースバンド帯域の入力信号に変換（ダウンコンバート）する。
【０１０４】
ＬＮＡ３６は、例えば、低雑音増幅器であって、Ｆｉｌｔｅｒ３４から出力される入力信号を増幅する。
【０１０５】
ＡＤＣ３７は、ＬＮＡ３６から出力された入力信号をデジタル信号へ変換し、ＢＢ部３１へ出力する。ＢＢ部３１は、デジタル信号に変換された入力信号をＡＤＣ３７から受け取ることで、基地局１０から送信されたデータやハンドオーバに関するメッセージ、又は基地局１０で決定されたハンドオーバ先に関する情報などを受信する。ＢＢ部３１はハンドオーバ先に関する情報に従って、ハンドオーバ先へのハンドオーバを実行する。
【０１０６】
＜テーブルの例＞
次に、記憶部１１２やデータベース１１３に記憶されるテーブルの例について説明する。
【０１０７】
図７（Ａ）は記憶部１１２に記憶されるテーブル１１２０の例を表わす図である。テーブル１１２０は、例えば、判定部１１４により一時優先順位付けられたハンドオーバ候補先セルに関する情報が記憶されるテーブルである。
【０１０８】
図７（Ａ）の例では、受信信号レベルの高い順に順位（「１」、「２」、…）が付与されている。最も優先順位の高いハンドオーバ候補先はセルＩＤが「５」のセルであり、次に優先順位の高いハンドオーバ候補先はセルＩＤが「３」のセルなどとなっている。
【０１０９】
図７（Ｂ）は、データベース１１３に記憶されたテーブル１１３０の例を表わす図である。テーブル１１３０は、例えば、セルＩＤとセル特性をマッピングするテーブルである。図７（Ｂ）の例では、セルＩＤ＝「１」のセルは、「屋外／Ｍａｃｒｏ」、すなわち屋外のマクロセルのセル特性を有していることを表わしている。  
【０１１０】
テーブル１１３０には、さらに、「コード」の項目がある。「コード」は、例えば、セルＩＤとセル特性との組み合わせを表わす識別子となっている。図７（Ｂ）の例では、コード「Ａ」のセルは、セルＩＤ＝「１」であり、「屋外／Ｍａｃｒｏ」というセル特性を有するセルとなっている。
【０１１１】
なお、図７（Ｂ）において「Ｆｅｍｔｏ（Ｐｕｂｌｉｃ）」は、例えば、どのユーザでも使用可能なフェムトセル（又はフェムト基地局）を表わしている。また、「Ｆｅｍｔｏ（ＣＳＧ）」は、例えば、特定のユーザやグループにアクセスが制限されるフェムトセルである。
【０１１２】
図８（Ａ）は、データベース１１３に記憶されたテーブル１１３１の例を表わす図である。テーブル１１３１は、例えば、セル特性とコードとをマッピングするためのテーブルである。テーブル１１３１は、例えば、図７（Ｂ）に示すテーブル１１３０のうち「セル特性」と「コード」との関係に対応している。
【０１１３】
図８（Ｂ）は、データベース１１３に記憶されたテーブル１１３２の例を表わす図である。テーブル１１３２は、例えば、ハンドオーバのパタンとハンドオーバの条件との関係を定義したテーブルである。テーブル１１３２には、「ＨＯパタン」と「アルゴリズム」の項目が含まれる。
【０１１４】
「ＨＯパタン」は、例えば、セル特性とハンドオーバの方向の関係を含んでいる。例えば、「ＨＯパタン」において、「Ａ→Ｂ」は、コードＡのセルからコードＢのセルへハンドオーバすることを表わしている。コード「Ａ」はテーブル１１３０により、セルＩＤとして「１」を有する屋外のマクロセルであることを表わす。また、コード「Ｂ」は、テーブル１１３０により、セルＩＤとして「５」を有する屋外のマイクロセルであることを表わす。従って、「Ａ→Ｂ」は、セルＩＤ＝「１」のマクロセルからセルＩＤ＝「５」のマイクロセルへのハンドオーバを表わしている。
【０１１５】
また、テーブル１１３２の「アルゴリズム」は、例えば、ハンドオーバ条件（又は移動条件）が記憶される。図８（Ｂ）の例では、例えば、「ＨＯパタン」が「Ａ→Ｂ」によりハンドオーバが行われるときのハンドオーバ条件が、「アルゴリズム」の「（１）」に記憶される。
【０１１６】
このような「アルゴリズム」は、例えば、ハンドオーバ条件が変更されると「アルゴリズム」に記憶されたハンドオーバ条件も適宜変更されるようになっている。従って、オペレータは、例えば、テーブル１１３２の「アルゴリズム」に記憶されたハンドオーバ条件を変更させることで、ハンドオーバのストラテジーを実行したり、変更したりすることが可能となる。これにより、例えば、オペレータは無線通信システム１００に対して、運用方針に従ったハンドオーバを実行させることが可能となり、オペレータの意向に沿った柔軟な対応を行うことができる。
【０１１７】
＜動作例＞
次に、本第２の実施の形態における動作例について説明する。本動作例では、ハンドオーバの発生率を制御する場合の例である。運用方針として、例えば、ハンドオーバの発生率を制御する、などがある。このような運用方針を実現するために、以下のようなハンドオーバストラテジーが採用されるものとする。すなわち、
「端末３０をできるだけ大きなサイズのセルに駐留させる」
というハンドオーバストラテジーである。
【０１１８】
このようなハンドオーバストラテジーが無線通信システム１００において実現されることで、上記のような運用方針が実現される。本動作例においては、このようなハンドオーバストラテジーがどのようにして実施されるのかについて説明する。
【０１１９】
図９は本第２の実施の形態における動作例を表わすフローチャートである。
【０１２０】
基地局１０は、テーブル１１３２をデータベース１１３に格納する（Ｓ１０）。例えば、オペレータによる基地局１０の操作により、テーブル１１３２がデータベース１１３に格納される。この場合、「端末３０をできるだけ大きなサイズのセルに駐留させる」というハンドオーバストラテジーに従ったハンドオーバ条件がテーブル１３２に記憶される。
【０１２１】
このようなハンドオーバストラテジーの実現方法として、例えば、
（５）マクロセルからマイクロセル、マイクロセルからピコセル、ピコセルからフェムトセルへのハンドオーバ条件（又は、大セルから小セルへのハンドオーバ条件）は、ハンドオーバ候補先セルの受信信号レベル＞ハンドオーバ元セル（又は自セル）の受信信号レベル、かつ、候補先セルの受信信号レベル≧−８０ｄＢｍとする。
（６）また、フェムトセルからピコセル、ピコセルからマイクロセル、マイクロセルからマクロセルへのハンドオーバ条件（又は、小セルから大セルへのハンドオーバ条件）は、ハンドオーバ候補先セルの受信信号レベル＞自セルの受信信号レベル、かつ、候補先セルの受信信号レベル≧−８５ｄＢｍとする。ただし、ハンドオーバ前後でセルサイズが同等の場合、上記（５）が採用される。
とする。
【０１２２】
ここで、ハンドオーバ条件について、例えば、通常条件を「ハンドオーバ候補先セルの受信信号レベル＞自セルの受信信号レベル、かつ、候補先セルの受信信号レベル≧−８５ｄＢｍ」とすると、上記（６）のハンドオーバ条件は通常条件となっている。また、上記（７）のハンドオーバ条件は通常条件よりも端末３０がハンドオーバしずらい条件（又は厳しい条件）となっている。なお、「−８５ｄＢｍ」は一例であって、他の数値を用いてもよい。
【０１２３】
例えば、図８（Ｂ）のテーブル１１３２の例では、「アルゴリズム」の「（１）」として、「ハンドオーバ候補先セルの受信信号レベル＞自セルの受信信号レベル、かつ、候補先セルの受信信号レベル≧−８０ｄＢｍ」が記憶される。また、「アルゴリズム」の「（２）」として、「ハンドオーバ候補先セルの受信信号レベル＞自セルの受信信号レベル、かつ、候補先セルの受信信号レベル≧−８５ｄＢｍ」が記憶される。
【０１２４】
図１０（Ａ）は、マクロセル１０−Ａとマイクロセル１０−Ｂのセルサイズの例を表わしている。大セルから小セルへのハンドオーバ条件は通常条件よりも厳しい条件となっているため、マイクロセル１０−Ｂのセル範囲が実線から点線となる。これにより、例えば、端末３０はマクロセル１０−Ａなどの大セルからマイクロセル１０−Ｂなどの小セルへのハンドオーバが制限され、マクロセル１０−Ａに駐留する端末３０の数が通常条件よりも多くなる。よって、上記ハンドオーバ条件（５）及び（６）によって、「端末３０をできるだけ大きなサイズのセルに駐留させる」というハンドオーバストラテジーを実現できる。
【０１２５】
このようにテーブル１１３２に「アルゴリズム」が記憶されることで、例えば、運用条件に従ったハンドオーバ条件が設定されることになる。すなわち、「端末３０をできるだけ大きなサイズのセルに駐留させる」というハンドオーバストラテジーに従ったハンドオーバ条件が設定される。以後、基地局１０は設定されたハンドオーバ条件を満足するハンドオーバ候補先があればそのハンドオーバ候補先とハンドオーバ先として決定する。
【０１２６】
なお、以下においては、アルゴリズムのことをハンドオーバ条件と称したり、ハンドオーバ条件のことをアルゴリズムと称する場合がある。
【０１２７】
図９に戻り、次に、インタフェース１１０は端末３０から送信された報告情報を受信する（Ｓ１１）。例えば、インタフェース１１０は端末３０から送信された報告メッセージをＡＤＣ１７から受け取る。
【０１２８】
次に、端末受信報告処理部１１１は、インタフェース１１０から報告メッセージを受け取り、報告情報を抽出し、記憶部１１２に出力する（Ｓ１２）。例えば、端末受信報告処理部１１１は、自セルの受信信号レベルを記憶部１１２に記憶し、ハンドオーバ候補先セルの受信信号レベルを判定部１１４へ出力する。
【０１２９】
次に、判定部１１４は、ハンドオーバ候補先セルの受信信号レベルに基づいて、ハンドオーバ候補先のセルについて一時優先順位付けを行う（Ｓ１３）。例えば、判定部１１４は、受信信号レベルの高い順に一時優先順位付けを行う。判定部１１４は、一時優先順位に関する情報を記憶部１１２へ記憶することで、例えば図７（Ｂ）に示すテーブル１１２０が記憶部１１２へ記憶される。
【０１３０】
図９に戻り、次に、判定部１１４は一時優先順位のうちｎ番目の優先順位であるハンドオーバ候補先のセルを選択する。そして、判定部１１４は、自セルと選択したセルとをペアにし、テーブル１１３０と照合して適用するアルゴリズムを選択する（Ｓ１４）。
【０１３１】
例えば、図７（Ｂ）に示すような一時優先順位付けが行われたとき、判定部１１４は、最初に、記憶部１１２に記憶されたテーブル１１２０から１番目（ｎ＝１）の優先順位（又は最も高い優先順位）にあるセルＩＤ＝「５」を読み出す。判定部１１４は、セルＩＤ＝「５」に対応するコード「Ｂ」をデータベース１１３に記憶されたテーブル１１３０から読み出す。なお、自セルをセルＩＤ＝「１」（コード＝「Ａ」）とし、自セルの受信信号レベルを「−８７ｄＢｍ」とする。判定部１１４は、自セルとハンドオーバ候補先のセルとをペア（「Ａ」、「Ｂ」）にし、テーブル１１３２からペア（「ＨＯパタン」である「Ａ→Ｂ」）に対応するアルゴリズム「（１）」を選択する。アルゴリズム「（１）」は、例えば、「ハンドオーバ候補先セルの受信信号レベル＞自セルの受信信号レベル、かつ、候補先セルの受信信号レベル≧−８０ｄＢｍ」が記憶される。
【０１３２】
次に、判定部１１４はアルゴリズム条件を満足するか否かを判定する（Ｓ１５）。例えば、判定部１１４は、ハンドオーバ候補先セルの受信信号レベル「−８１ｄＢｍ」と自セルの受信信号レベル「−８７ｄＢｍ」とが、「ハンドオーバ候補先セルの受信信号レベル＞自セルの受信信号レベル、かつ、候補先セルの受信信号レベル≧−８０ｄＢｍ」を満足するか否かを判定する。この例では、ハンドオーバ候補先セルの受信信号レベル「−８１ｄＢｍ」であり、ハンドオーバ条件の「候補先セルの受信信号レベル≧−８０ｄＢｍ」を満足しない。従って、判定部１１４は、アルゴリズム条件を満足しないと判定する（Ｓ１５でＮｏ）。
【０１３３】
例えば、ハンドオーバ条件が通常条件（「ハンドオーバ候補先セルの受信信号レベル＞自セルの受信信号レベル、かつ、候補先セルの受信信号レベル≧−８５ｄＢｍ」）のときは、ハンドオーバ条件を満足し、判定部１１４はセルＩＤ＝「５」をハンドオーバ先として決定する。
【０１３４】
判定部１１４は、ハンドオーバ条件を満足しないと判定したとき（Ｓ１５でＮｏ）、「ｎ」が一時優先順位付けされたハンドオーバ候補先の全個数「ｍ」を超えるか否かを判定する（Ｓ１８）。例えば、判定部１１４は、テーブル１１２０に記憶されたハンドオーバ候補先のセルすべてに対して、Ｓ１５までの処理を終了したか否かを判定している。
【０１３５】
判定部１１４は、ｎ番目の優先順位が全個数ｍを超えないとき（Ｓ１８でＹｅｓ）、優先順位を１つインクリメントし（ｎ＝ｎ＋１）（Ｓ１９）、次に、優先順位付けされたハンドオーバ候補先のセルを選択対象にして、Ｓ１４とＳ１５の処理を行う。
【０１３６】
例えば、判定部１１４は、テーブル１１２０において、１番目（ｎ＝１）のハンドオーバ候補先のセルを選択した後は、２番目（ｎ＝２）のハンドオーバ候補先のセル（セルＩＤ＝「３」）を選択してＳ１４、Ｓ１５の処理を行う。
【０１３７】
一方、優先順位付けを行ったハンドオーバ候補先のセル全てを対象にしても、アルゴリズム条件を満足しないとき（Ｓ１５でＮｏ、Ｓ１８でＮｏ）、判定部１１４は、ハンドオーバ先を決定することなく、本処理を終了させる（Ｓ１７）。この場合は、基地局１０はハンドオーバを許可せず、端末３０はハンドオーバを行わないことになる。
【０１３８】
一方、受信レベルがハンドオーバ条件を満足するとき（Ｓ１５でＹｅｓ）、判定部１１４は、ペア対象であるハンドオーバ候補先のセルをハンドオーバ先のセルとして決定し、インタフェース１１０へハンドオーバの実施を指示する（Ｓ１６）。
【０１３９】
判定部１１４は、ハンドオーバ先を決定すると、本処理を終了させる（Ｓ１７）。
【０１４０】
このように、本第２の実施の形態では、基地局１０では、テーブル１１３２に記憶されるハンドオーバ条件について、セルサイズに応じて変更可能となっている。従って、基地局１０を運用するオペレータは、ハンドオーバ条件が一律の場合と比較して柔軟な対応を行うこともできるし、セルサイズに応じたハンドオーバ条件を設定することも可能である。このようなハンドオーバ条件の変更に際して、新たに装置を設置するなど設備投資を行わなくてもよいため、本無線通信システム１００ではコストの増加を防止できる。
【０１４１】
また、本第２の実施の形態においては、セルの大きさ（又はサイズ、或いは範囲）をハンドオーバの判定条件に付加している。ハンドオーバの判定条件にセルサイズを付加することで、通常のハンドオーバ条件で発生するハンドオーバを発生させないようにすることができる。これにより、例えば、ＨｅｔＮｅｔにおいてハンドオーバの発生率を抑制させることができる。
【０１４２】
さらに、ハンドオーバの発生率を制御する、というオペレータの運用方針に沿った運用を行うことも可能となる。この場合でも、オペレータは、このような運用方針を実現するために新たな設備投資や基地局の処理能力増強による投資など行わなくてもよいため、コストの増加を防止することもできる。
【０１４３】
さらに、ハンドオーバの発生率が抑制されることで、基地局１０と端末３０との間で交換されるハンドオーバに関するメッセージの交換も抑制され、その分、データの交換を行うことができ、スループットを向上させることもできる。
【０１４４】
上記した例は、「端末３０をできるだけ大きなサイズのセルに駐留させる」というハンドオーバストラテジーであったが、例えば、「端末３０をできるだけ小さなセルに駐留させる」というストラテジーであってもよい。この場合、小セルから大セルへの「アルゴリズム」については他よりも厳しいハンドオーバ条件（例えば「受信信号レベル≧−８０ｄＢｍ」）とし、大セルから小セルへの「アルゴリズム」については通常のハンドオーバ条件（例えば「受信信号レベル≧−８５ｄＢｍ」）とすることもできる。この場合でも、上記した例と同様にハンドオーバの発生率を制御する、というオペレータによる運用方針を実現できる。
【０１４５】
［第３の実施の形態］
次に、第３の実施の形態について説明する。第３の実施の形態は、例えば、ネットワークリソースの有効利用を図る、という運用方針を実現する例である。かかる運用方針を実現するためのハンドオーバストラテジーとして、
「マイクロセル、ピコセル、又はフェムトセルがマクロセルより多くの周波数バンドを使用できる場合、端末３０をマイクロセル、ピコセル、フェムトセルに駐留させたい」
が採用される。
【０１４６】
例えば、基地局１０がマクロセルより多くの周波数バンドを使用するマイクロセル、ピコセル、又はフェムトセルに端末３０を駐留させるようにハンドオーバを制御することで、無線通信システム１００全体のリソースの有効利用を図ることができる。
【０１４７】
このようなハンドオーバストラテジーの実現方法として、例えば、
（７）フェムトセルからピコセル、ピコセルからマイクロセル、マイクロセルからマクロセルへのハンドオーバ（又は、小セルから大セルへのハンドオーバ）は、通常のハンドオーバ条件とする。
（８）マクロセルからマイクロセル、マイクロセルからピコセル、ピコセルからフェムトセルへのハンドオーバ（又は、大セルから小セルへのハンドオーバ）は、ハンドオーバ候補先セルの受信信号レベル＞ハンドオーバ元セル（又は自セル）の受信信号レベル、かつ、候補先セルの受信信号レベル≧−９０ｄＢｍをハンドオーバ条件とする。ただし、ハンドオーバ前後でセルサイズが同じときは上記（７）を採用する。
が採用される。
【０１４８】
図１０（Ｂ）は、マクロセル１０−Ａとマイクロセル１０−Ｂのセルサイズの例を表わしている。大セルから小セルへの上記ハンドオーバ条件は、通常条件（例えば、受信信号レベルＲＳＳＩ≧−８５ｄＢｍ）と比較して、ハンドオーバしやすい条件となっている。従って、マイクロセル１０−Ｂのセル範囲が実線から点線へと広がり、マイクロセル１０−Ｂへハンドオーバする端末３０の数が通常条件の場合と比較して多くなる。これにより、例えば、端末３０を小セルに駐留させることができる。
【０１４９】
本第３の実施の形態における動作例は、第２の実施の形態と同様に図９のフローチャートにより示される。
【０１５０】
図９に示すように、基地局１０は、テーブル１１３２の「アルゴリズム」に上記（７）及び（８）に対応するハンドオーバ条件を格納する（Ｓ１０）。
【０１５１】
例えば、図８（Ｂ）のテーブル１１３２の例では、「アルゴリズム」の「（１）」には、ハンドオーバ条件として「ハンドオーバ候補先セルの受信信号レベル＞自セルの受信信号レベル、かつ、候補先セルの受信信号レベル≧−９０ｄＢｍ」が記憶される。
【０１５２】
また、「アルゴリズム」の「（２）」には、ハンドオーバ条件として「ハンドオーバ候補先セルの受信信号レベル＞自セルの受信信号レベル、かつ、候補先セルの受信信号レベル≧−８５ｄＢｍ」が記憶される。
【０１５３】
図９に戻り、インタフェース１１０は、端末３０から送信された報告情報を受信し、判定部１１４はハンドオーバ候補先の受信レベルについて一時優先順位付けを行い、記憶部１１２へ記憶する（Ｓ１１〜Ｓ１３）。
【０１５４】
図１１は、テーブル１１２０に記憶された一時優先順位の例を表わす図である。図１１に示す例では、ハンドオーバ候補先セルのうち、セルＩＤ＝「５」のセルが最も受信レベルが高く、セルＩＤ＝「３」、「２」、「１」、「４」、…の順となっている。
【０１５５】
図９に戻り、判定部１１４は、自セルと、ｎ番目のハンドオーバ候補先のセルとをペアにして、テーブル１１３２を照合し、適用するアルゴリズムを選択する（Ｓ１４）。
【０１５６】
図１１の例では、判定部１１４は、自セル（例えばセルＩＤ＝「１」、コード「Ａ」）と、１番目（ｎ＝１）のハンドオーバ候補先のセル（セルＩＤ＝「５」、コード「Ｂ」）と、ペアにする（「Ａ」、「Ｂ」）。そして、判定部１１４は、ペア（「ＨＯパタン」である「Ａ→Ｂ」）に対応するアルゴリズム「（１）」を選択する。
【０１５７】
図９に戻り、判定部１１４は、アルゴリズム条件を満足するか否かを判定する（Ｓ１５）。
【０１５８】
図１１の例において、アルゴリズム「（１）」には、「ハンドオーバ候補先セルの受信信号レベル＞自セルの受信信号レベル、かつ、候補先セルの受信信号レベル≧−９０ｄＢｍ」が記憶される。判定部１１４は、ハンドオーバ候補先セルの受信信号レベル「−８６ｄＢｍ」と自セルの受信信号レベル「−８７ｄＢｍ」とに基づいて、このアルゴリズム条件を満足するか否か判定する。この場合、判定部１１４はアルゴリズム条件を満足すると判定する（Ｓ１５でＹｅｓ）。そして、判定部１１４は、セルＩＤ＝「５」のセルをハンドオーバ先として決定し、インタフェース１１０へハンドオーバ実施を指示する（Ｓ１６，Ｓ１７）。
【０１５９】
例えば、大セルから小セルへのハンドオーバ条件が「受信信号レベルＲＳＳＩ≧−９０ｄＢｍ」という条件ではなく、「受信信号レベルＲＳＳＩ≧−８５ｄＢｍ」という通常条件の場合、図１１のテーブル１１２０に記憶された全てのハンドオーバ候補先のセルは条件を満足しない。
【０１６０】
従って、セルサイズ（又はセルの大きさ、或いはセルの範囲）を加味したハンドオーバ条件が設定されることで、例えば、マクロセルからマイクロセルへとハンドオーバする端末数を通常のハンドオーバ条件の場合と比較して増加させることができる。
【０１６１】
よって、通常のハンドオーバ条件と比較して、小セルに駐留する端末３０が多くなり、マイクロセル、ピコセル、又はフェムトセルのリソース（例えば周波数バンド）を利用する端末数も増加する。このため、無線通信システム１００全体（又はネットワーク全体）のリソースが有効利用される。
【０１６２】
これは、ネットワークのリソースの有効利用を図る、という運用方針とも合致し、無線通信システム１００に対して運用方針を反映させることができる。ＨｅｔＮｅｔ構成となっていても、このような運用方針を実現するために、例えば、新たに装置を設置させることもないため、コスト増加を防止することもできる。
【０１６３】
また、基地局１０では、第２の実施の形態と同様にテーブル１１３２に記憶されるハンドオーバ条件について、セルサイズに応じて変更可能となっている。従って、ハンドオーバ条件の変更に際して、新たに装置を設置するなど設備投資を行わなくてもよいため、本無線通信システム１００ではコストの増加を防止できる。
【０１６４】
さらに、上記したハンドオーバ条件は、大セルから小セルへのハンドオーバ条件は通常条件よりも優しい条件であり、小セルから大セルへのハンドオーバ条件は通常条件となっている。従って、小セルから大セルへのハンドオーバは大セルから小セルへのハンドオーバよりもハンドオーバ発生率を抑制させ、ハンドオーバの発生率をコントロールすることもできる。
【０１６５】
図９に戻り、一方、判定部１１４はアルゴリズム条件を満足しない場合、第２の実施の形態と同様に、次の優先順位のハンドオーバ候補先を選択して（Ｓ１８，Ｓ１９）、アルゴリズムの選択などの処理を行う（Ｓ１４，Ｓ１５）。以降は、第２の実施の形態と同様に実施することができる。
【０１６６】
なお、小セルから大セルへのハンドオーバ条件については、例えば、通常条件に代えて、「受信信号レベルＲＳＳＩ≧−８０ｄＢｍ」などの厳しい条件とすることもできる。この場合でも、小セルへ駐留する端末３０は通常条件と比較して増加させることができる。
【０１６７】
［第４の実施の形態］
次に、第４の実施の形態について説明する。第４の実施の形態では、バッテリー残量に応じたハンドオーバを行わせる、という運用方針を実現させる例である。このような運用方針を実現するためハンドオーバストラテジーとして、
「端末３０のバッテリー残量が非常に少ない場合、ハンドオーバ候補先セルの受信信号レベルがハンドオーバ元セルの受信信報レベルより良い場合にハンドオーバさせ、残量が少ない場合、通常のハンドオーバ条件よりもハンドオーバし易いハンドオーバ条件とし、残量が多い場合、通常のハンドオーバ条件を適用する」
が採用される。
【０１６８】
なお、このハンドオーバストラテジーは、例えば、端末３０の省電力モードに対応するハンドオーバストラテジーとなっている。
【０１６９】
上記ハンドオーバストラテジーの実現方法として、例えば、
（９）端末バッテリー残量が１０％以下の場合、ハンドオーバ候補先セルの受信信号レベル＞ハンドオーバ元セル（又は自セル）の受信信号レベルを満足するときハンドオーバさせる。
（１０）端末バッテリー残量が１０％から３０％の場合、ハンドオーバ候補先セルの受信信号レベル＞ハンドオーバ元セルの受信信号レベル、かつ、ハンドオーバ候補先セルの受信信号レベルが「−８７ｄＢｍ」以上のときにハンドオーバさせる。
（１１）端末バッテリー残量が３０％から５０％の場合、ハンドオーバ候補先セルの受信信号レベル＞ハンドオーバ元セルの受信信号レベル、かつ、ハンドオーバ候補先セルの受信信号レベルが「−８５ｄＢｍ」以上のとき、ハンドオーバさせる。
（１２）端末バッテリー残量が５０％以上の場合、ハンドオーバ候補先セルの受信信号レベル＞ハンドオーバ元セルの受信信号レベル、かつ、ハンドオーバ候補先セルの受信信号レベルが「−８０ｄＢｍ」以上のとき、ハンドオーバさせる。
が採用される。
【０１７０】
図１２（Ａ）は判定部１１４により生成されたテーブル１１２０の例であり、図１２（Ｂ）は端末バッテリー残量に関するテーブル１１３３である。テーブル１１３３には、上記（９）から上記（１２）に対応するハンドオーバ条件が「アルゴリズム」の項目に記憶される。これにより、テーブル１１３３には上記ハンドオーバストラテジーを反映させたハンドオーバ条件が記憶される。
【０１７１】
図１３は本第４の実施の形態における動作例を表わすフローチャートである。
【０１７２】
基地局１０は、上記（９）から上記（１２）に対応するアルゴリズムをテーブル１１３３に記憶する（Ｓ１０）。
【０１７３】
次に、端末受信報告処理部１１１は、報告情報のうち自セルの受信信号レベルと端末のバッテリー残量情報を記憶部１１２に記憶し、ハンドオーバ候補先セルの受信信号レベルを判定部１１４へ出力する（Ｓ１１，Ｓ１２）。
【０１７４】
次に、判定部１１４は、ハンドオーバ候補先セルの受信信号レベルに基づいてハンドオーバ候補先の一時優先順位付けを行う（Ｓ１３）。
【０１７５】
次に、判定部１１４は、テーブル１１３３を照合し、ｎ番目の端末３０のバッテリー残量報告値に基づいて、適用する「アルゴリズム」を選択する（Ｓ２０）。
【０１７６】
例えば、判定部１１４は、バッテリー残量報告値が１０％のとき、「アルゴリズム」として「（１）」を選択する。この「（１）」には、ハンドオーバ条件として「ハンドオーバ候補先セルの受信信号レベル＞ハンドオーバ元セル（又は自セル）の受信信号レベル」が記憶される。
【０１７７】
次に、判定部１１４は、ｎ番目のハンドオーバ候補先セルについて、選択した「アルゴリズム」を満足するか否かを判定する（Ｓ１５）。
【０１７８】
例えば、判定部１１４は、１番目（ｎ＝１）のハンドオーバ候補先セルの受信レベル「−８１ｄＢｍ」が、選択したハンドオーバ条件を満足するか否かについて判定する。
【０１７９】
判定部１１４は、ｎ番目のハンドオーバ候補先セルの受信レベルがハンドオーバ条件を満足すれば（Ｓ１５でＹｅｓ）、ｎ番目のハンドオーバ候補先セルをハンドオーバ先に決定し、インタフェース１１０へ指示する（Ｓ１６）。
【０１８０】
例えば、１番目（ｎ＝１）のハンドオーバ候補先セルの受信レベル「−８１ｄＢｍ」は自セルの受信信号レベル「−８７ｄＢｍ」より高い数値となっているため、判定部１１４はハンドオーバ条件を満たすと判定する。
【０１８１】
一方、ｎ番目のハンドオーバ候補先セルの受信レベルがハンドオーバ条件を満足しなければ（Ｓ１５でＮｏ）、判定部１１４は、一時優先順位付けされた候補先セルのうち、（ｎ＋１）番目の優先順位の候補先セルを対象にして（Ｓ１８，Ｓ１９）、Ｓ２０などの処理を行う。
【０１８２】
以降は、第２の実施の形態と同様の処理を行う。
【０１８３】
このように本第４の実施の形態においては、例えば上記（９）など、端末３０のバッテリー残量が閾値以下のとき、ハンドオーバ条件は通常条件と比較して、ハンドオーバし易い条件となっている。このような条件では、一時優先順位の高い、すなわち受信レベルのより高いハンドオーバ候補先のセルがハンドオーバ先となり易くなっている。
【０１８４】
従って、端末３０のバッテリー残量が閾値以下のときは、端末３０は受信レベルのより高いハンドオーバ候補先のセルにハンドオーバし易くなっている。このように受信レベルのより高いセルにハンドオーバすることで、端末３０は閾値よりも小さい電力で当該セルを収容する基地局１０と無線通信可能となる。これにより、例えば、端末３０のバッテリーを閾値時間よりも長く使用させることができる。
【０１８５】
また、上記（９）から（１２）のハンドオーバストラテジーを反映させたハンドオーバ条件がテーブル１１３３に記憶され、これにより、例えば、「バッテリー残量に応じたハンドオーバを行わせる」という運用方針を反映させた無線通信システム１００の運用も可能となる。このような運用方針を実現するために、本無線通信システム１００では、新たな装置を設置することもなく、コスト削減を図ることができる。
【０１８６】
さらに、基地局１０では、テーブル１１３３に記憶されるハンドオーバ条件について、端末３０のバッテリー残量情報に応じて変更可能となっている。従って、基地局１０を運用するオペレータは、ハンドオーバ条件が一律の場合と比較して柔軟な対応を行うこともできるし、バッテリー残量に応じたハンドオーバ条件を設定することも可能である。このようなハンドオーバ条件の変更に際して、新たに装置を設置するなど設備投資を行わなくてもよいため、本無線通信システム１００ではコストの増加を防止できる。
【０１８７】
なお、上記（９）から（１２）のハンドオーバ条件は一例であり、端末３０のバッテリー残量が少なければ少ないほど、ハンドオーバ条件は通常条件よりもハンドオーバし易い条件となっていれば、その数値やパーセンテージはどのようなものでもよい。
【０１８８】
［第５の実施の形態］
次に、第５の実施の形態について説明する。第４の実施の形態ではバッテリー残量に基づいてハンドオーバが行われる例について説明し、第２の実施の形態ではセルサイズに基づいてハンドオーバが行われる例について説明した。本第５の実施の形態ではバッテリー残量とセルサイズに基づいてハンドオーバが行われる例について説明する。
【０１８９】
オペレータによる運用方針として、「バッテリー残量に応じたハンドオーバを行わせる」というものがあるものとする。これを実現するために、ハンドオーバストラテジーとして、
「端末３０のバッテリー残量が少ないときに使用時間を長くすることと、バッテリー残量が多いときにハンドオーバメッセージを減少させることの両立を図る」
が採用される。
【０１９０】
上記ハンドオーバストラテジーの実現方法として、例えば、
（１３）端末バッテリー残量が１０％以下の場合、ハンドオーバ候補先セルの受信信号レベル＞ハンドオーバ元セル（又は自セル）の受信信号レベルを満足するときハンドオーバさせる。
（１４）端末バッテリー残量が１０％から３０％の場合、ハンドオーバ候補先セルの受信信号レベル＞ハンドオーバ元セルの受信信号レベル、かつ、ハンドオーバ候補先セルの受信信号レベルが「−８７ｄＢｍ」以上のときにハンドオーバさせる。
（１５）端末バッテリー残量が３０％から５０％の場合で、マクロセルからマイクロセル、マイクロセルからピコセル、ピコセルからフェムトセルへ（又は大セルから小セルへ）ハンドオーバする場合、ハンドオーバ条件は通常条件よりも厳しくする。逆方向へのハンドオーバ条件は通常条件とする。ただし、サイズがハンドオーバ前後で同じときは前者を適用する。
（１６）端末バッテリー残量が５０％以上の場合で、マクロセルからマイクロセル、マイクロセルからピコセル、ピコセルからフェムトセルへ（又は大セルから小セルへ）ハンドオーバする場合、ハンドオーバ条件は通常条件よりも厳しくする、逆方向へのハンドオーバ条件は通常条件とする。ただし、サイズがハンドオーバ前後で同じとき前者を適用する。
が採用される。
【０１９１】
ハンドオーバ条件における通常条件は、例えば、第２の実施の形態で説明したものと同様に「ハンドオーバ候補先セルの受信信号レベル＞ハンドオーバ元セルの受信信号レベルであり、かつ、ハンドオーバ候補先セルの受信信号レベル＞−８５ｄＢｍ」とする。
【０１９２】
この場合において、ハンドオーバ条件が通常条件より厳しい条件とは、例えば、「ハンドオーバ候補先セルの受信信号レベル＞ハンドオーバ元セルの受信信号レベルであり、かつ、ハンドオーバ候補先セルの受信信号レベル＞−８０ｄＢｍ」などのハンドオーバ条件である。
【０１９３】
図１４（Ａ）から図１５（Ｂ）は本第５の実施の形態で適用されるテーブル１１２０，１１３０〜１１３１，１１３４の例を表わす図である。
【０１９４】
図１４（Ａ）は記憶部１１２に記憶される一時優先順位付けが行われたテーブル１１２０、図１４（Ｂ）と図１５（Ａ）は、第２の実施の形態と同様にテーブル１１３０，１１３１の例をそれぞれ表わしている。
【０１９５】
図１５（Ｂ）はバッテリー残量とパタン、及びンドオーバ条件との関係を定義したテーブル１１３４の例を表わしている。図１５（Ｂ）に示すテーブル１１３４は本第５の実施の形態において追加されたテーブルである。
【０１９６】
図１５（Ｂ）に示すようにテーブル１１３４では、バッテリー残量とパタンに対応して「アルゴリズム」が記憶される。例えば、「アルゴリズム」の「（１）」には上記（１３）がハンドオーバ条件として記憶される。同様にして、例えば、「アルゴリズム」の「（２）」には上記（１４）、「（３）」には上記（１５）のハンドオーバ条件が記憶される。
【０１９７】
このようにテーブル１１３４には、例えば、上記ハンドオーバストラテジーを反映させたハンドオーバ条件が「アルゴリズム」の項目に記憶される。これにより、例えば、閾値時間よりも長く端末３０を使用させ、さらに、バッテリー残量の多いときにハンドオーバメッセージを減少させることの両立を図ることができる。
【０１９８】
図１６は本第５の実施の形態における動作例を表わすフローチャートである。
【０１９９】
基地局１０は、上記（１３）から上記（１６）に対応する「アルゴリズム」をテーブル１１３４に記憶し（Ｓ１０）、第４の実施の形態と同様に、受信信号レベルと端末３０のバッテリー残量情報（又はバッテリー残量報告値）とを抽出する（Ｓ１１，Ｓ１２）。  
【０２００】
そして、判定部１１４によりハンドオーバ候補先セルの一時優先順位付けを行う（Ｓ１３）。例えば、図１４（Ａ）は判定部１１４により優先順位付けが行われた結果を示す。
【０２０１】
次に、判定部１１４は、端末３０のバッテリー残量報告値とパタンに基づいて、テーブル１１３４から適用する「アルゴリズム」を選択する（Ｓ３０）。
【０２０２】
例えば、バッテリー残量報告値が「４０％」、１番目のハンドオーバ候補先セルとしてセルＩＤ＝「５」のセルが選択され、自セルがセルＩＤ＝「１」のとき、判定部１１４は「アルゴリズム」として「（３）」を選択する。「アルゴリズム」の「（３）」には、例えば、ハンドオーバ条件として「ハンドオーバ候補先セルの受信信号レベル＞ハンドオーバ元セルの受信信号レベルであり、かつ、ハンドオーバ候補先セルの受信信号レベル＞−８０ｄＢｍ」が記憶されている。
【０２０３】
図１６に戻り、次に、判定部１１４はアルゴリズムを満足するか否かを判定する（Ｓ１５）。例えば、判定部１１４は、「アルゴリズム」として「（３）」に記憶されたハンドオーバ条件を満足するか否かを判定する。この場合、１番目のハンドオーバ候補先セルの受信信号レベル「−８１ｄＢｍ」が「ハンドオーバ候補先セルの受信信号レベル＞−８０ｄＢｍ」の条件を満足しないため、判定部１１４はハンドオーバ条件を満足しないと判定する（Ｓ１５でＮｏ）。
【０２０４】
判定部１１４は、アルゴリズムを満足しないとき（Ｓ１５でＮｏ）、端末３０のバッテリー残量が「３０％」を超えるか否かを判定する（Ｓ４１）。
【０２０５】
例えば、最も優先順位の高いハンドオーバ候補先セルについてハンドオーバ候補先としてのハンドオーバ条件を満たさないとき、次の優先順位のハンドオーバ候補先セルは、受信信号レベルがより低いものとなっている。最も優先順位の高いハンドオーバ候補先セルでもハンドオーバ条件を満たさない場合において、優先順位が低い候補先セルを選択しても受信信号レベルも低くなる。このようなセルに端末３０をハンドオーバさせても、バッテリー残量が少ない端末３０を閾値時間以上使用させることは困難である。
【０２０６】
よって、判定部１１４は、端末３０のバッテリー残量が「３０％」を超えないとき（Ｓ４１でＮｏ）、ハンドオーバを行わせず（Ｓ１７）、在圏セルへ維持したままの状態にする。
【０２０７】
一方、判定部１１４は、端末３０のバッテリー残量が「３０％」以上のとき（Ｓ４１でＹｅｓ）、選択対象のセルが優先順位の個数ｍ以下のときは、次の優先順位（ｎ＝ｎ＋１）を選択対象にして（Ｓ１８，Ｓ１９）、上記した処理を繰り返す。以降は第２の実施の形態と同様である。
【０２０８】
このように本第５の実施の形態では、例えば上記（１３）など、端末３０のバッテリー残量が閾値以下のとき、ハンドオーバ条件は他のバッテリー残量の場合と比較して、ハンドオーバし易い条件となっている。
【０２０９】
従って、本第５の実施の形態においても、第４の実施の形態と同様に、受信レベルのより高いハンドオーバ候補先のセルにハンドオーバし易くなり、これにより、例えば、端末３０のバッテリーを閾値時間よりも長く使用させることができる。
【０２１０】
また、バッテリー残量の多いときにおける大セルから小セルへのハンドオーバについては、例えば上記（１５）などに示されるように、通常条件と比較して厳しいハンドオーバ条件となっている。従って、本第５の実施の形態においては、通常条件と比較して、大セルから小セルへのハンドオーバが厳しくなっている分、バッテリー残量の多いときにおける大セルから小セルへのハンドオーバは制限され、ハンドオーバに関するメッセージの交換も少なくなる。
【０２１１】
よって、本第５の実施の形態においては、端末３０のバッテリー残量が少ないときに閾値時間以上使用できることと、残量が多いときにハンドオーバメッセージを減少させることの両立を図ることができる。
【０２１２】
また、本第５の実施の形態においては、このようなハンドオーバストラテジーを実現することができ、オペレータは運用方針を反映させた無線通信システム１００を運用させることができる。このような運用方針を実現するために、本無線通信システム１００では新たに装置を設置することもなく、コストの増加を防止させることができる。
【０２１３】
さらに、基地局１０では、テーブル１１３４に記憶されるハンドオーバ条件について、バッテリー残量とセルサイズに応じて変更可能となっている。従って、基地局１０を運用するオペレータは、ハンドオーバ条件が一律の場合と比較して柔軟な対応を行うこともできるし、バッテリー残量とセルサイズに応じたハンドオーバ条件を設定することも可能である。このようなハンドオーバ条件の変更に際して、新たに装置を設置するなど設備投資を行わなくてもよいため、本無線通信システム１００ではコストの増加を防止できる。
【０２１４】
なお、上記（１３）から上記（１６）のハンドオーバ条件に関して、「バッテリー残量＞３０％」の場合にセルサイズがハンドオーバ条件に含まれる例について説明した。ハンドオーバ条件については、「バッテリー残量≦３０％」の場合でもセルサイズがハンドオーバ条件に含まれても良い。また、ハンドオーバ条件について、上記（１３）から上記（１６）に対してバッテリー残量とセルサイズとの間の関係を変えたものや、バッテリー残量の数値も他の数値としてもよい。
【０２１５】
本第５の実施の形態においては、例えば、バッテリー残量が閾値以下のときのハンドオーバ条件は、通常条件よりも緩い条件としてハンドオーバしやすい条件となっている。これにより、例えば、端末３０を受信信号レベルの条件のよいセルへハンドオーバさせることができ、端末３０を閾値時間使用させることが可能となる。
【０２１６】
また、本第５の実施の形態においては、バッテリー残量が閾値を超えるときのハンドオーバ条件は、大セルから小セル、又は小セルから大セルのいずれか一方が他方と比較してハンドオーバし難い条件となっている。これにより、例えば、バッテリー残量の多い端末３０はハンドオーバメッセージの送信が制限されて、通常条件と比較してハンドオーバメッセージ量を少なくさせることができる。
【０２１７】
［第６の実施の形態］
次に、第６の実施の形態について説明する。本第６の実施の形態は、端末３０からの要求スループットとセルサイズに基づいてハンドオーバが行われる例について説明する。
【０２１８】
オペレータによる運用方針としては、「端末３０の要求スループットを満足させる」であるものとする。この運用方針を実現するためのハンドオーバストラテジーとして、
「端末３０が低スループットを要求する場合、できるだけハンドオーバさせないようにし、端末３０が高スループットを要求する場合、小セルにハンドオーバさせる」
が採用される。
【０２１９】
例えば、マイクロセルやピコセル、フェムトセルなどの小セルでは収容可能な端末数（又はユーザ数）がマクロセルなどの大セルと比較して少ない。小セルと大セルの使用可能な周波数リソースが同じときと、小セルの一端末あたりのスループットは、大セルと比較して高くなる。従って、基地局１０は、端末３０を小セルに積極的にハンドオーバさせることで、端末３０の要求スループットを満足させることが可能となる。
【０２２０】
上記ハンドオーバストラテジーの実現方法として、例えば、
（１７）端末３０が１Ｍｂｐｓ以下を要求するとき、ハンドオーバ候補先セルの受信信号レベル＞ハンドオーバ元セル（又は自セル）の受信信号レベル、かつ、ハンドオーバ候補先セルの受信信号レベル＞−７５ｄＢｍのときにハンドオーバさせる。
（１８）端末３０が１〜３Ｍｂｐｓを要求するとき、ハンドオーバ候補先セルの受信信号レベル＞ハンドオーバ元セル（又は自セル）の受信信号レベル、かつ、ハンドオーバ候補先セルの受信信号レベル＞−８０ｄＢｍのときにハンドオーバさせる。ただし、上記（１７）と（１８）はハンドオーバ前後でセルサイズが同じときも適用される。
（１９）端末３０が３〜５Ｍｂｐｓを要求するとき、ハンドオーバ候補先セルのサイズがハンドオーバ元セルのサイズより小さく、ハンドオーバ候補先セルの受信信号レベル＞ハンドオーバ元セル（又は自セル）の受信信号レベル、かつ、ハンドオーバ候補先セルの受信信号レベル＞−７５ｄＢｍのときにハンドオーバさせる。
（２０）端末３０が５Ｍｂｐｓ以上を要求するとき、ハンドオーバ候補先セルのサイズがハンドオーバ元セルのサイズより小さく、ハンドオーバ候補先セルの受信信号レベル＞ハンドオーバ元セルの受信信号レベルのときにハンドオーバさせる。
が採用される。
【０２２１】
上記（２０）に示すように、端末３０が閾値以上のスループットを要求するとき、他の条件と比較して、端末３０がサイズの小さいセルへハンドオーバしやすい条件となっている。
【０２２２】
上記（１７）から上記（２０）を実現するために、例えば、本第６の実施の形態では、要求スループットとパタン、及びハンドオーバ条件との関係を定義したテーブル１１３５がデータベース１１３に記憶される。
【０２２３】
なお、上記（１９）において、「ハンドオーバ候補先セルの受信信号レベル＞−７５ｄＢｍ」としているのは、例えば、小セルへハンドオーバする端末数に一定の制限を設けるためである。例えば、上記（２０）により、高スループット要求の端末３０は小セルへハンドオーバさせると、小セルに在圏する端末数が一定以上に多くなる場合がある。上記（１９）では、上記（２０）よりも低スループット要求の端末３０に対して一定の制限をかけるようにしている。例えば、上記（１９）として、「ハンドオーバ候補先セルの受信信号レベル＞−９０ｄＢｍ」に変更してもよい。
【０２２４】
図１８（Ｂ）は本第６の実施の形態において追加されたテーブル１１３５の例を表わす図である。図１８（Ｂ）に示すようにテーブル１１３５には、端末３０から要求された要求スループットとパタンに対応するハンドオーバ条件が記憶される。これにより、例えば、基地局１０は、高スループットを要求する端末３０は小セルへ、低スループットを要求する端末３０は自セルに留まらせるように制御することが可能となる。
【０２２５】
図１９は本第６の実施の形態における動作例を表わすフローチャートである。
【０２２６】
基地局１０は、上記（１７）から上記（２０）に対応する「アルゴリズム」をテーブル１１３４に記憶する（Ｓ１０）。
【０２２７】
次に、端末受信報告処理部１１１は、報告情報のうち端末３０の要求スループットを記憶部１１２に記憶し、受信信号レベルを判定部１１４へ出力する。
【０２２８】
次に、判定部１１４は、ハンドオーバ候補先の受信信号レベルに基づいてハンドオーバ候補先セルの一時優先順位付けを行い、テーブル１１２０に記憶する（Ｓ１３）。例えば、図１７（Ａ）はテーブル１１２０の例を表わしている。
【０２２９】
次に、判定部１１４は、要求スループットとパタンに基づいてテーブル１１３５から適用するハンドオーバ条件を選択する（Ｓ５０）。
【０２３０】
例えば、判定部１１４は、記憶部１１２から端末３０の要求スループット（例えば「４Ｍｂｐｓ」）を読み出す。また、判定部１１４は、自セルとｎ番目のハンドオーバ候補先セルとをペア（例えば、「Ａ」，「Ｂ」）にする。そして、判定部１１４は、要求スループットと、ペアに対応するパタン（例えば「Ａ→Ｂ」）と、に基づいて対応する「アルゴリズム」（例えば、「（３）」）を選択する。
【０２３１】
次に、判定部１１４は、ハンドオーバ条件を満足するか否かを判定する（Ｓ１５）。
【０２３２】
例えば、判定部１１４は、選択した「アルゴリズム」＝「（３）」が上記（１９）の場合、ｎ＝１番目の候補先セル（セルＩＤ＝「５」）の受信信号レベル「−８６ｄＢｍ」が上記（１９）を満足するか否かを判定する。ただし、自セルの受信信号レベルは「−８７ｄＢｍ」とする。この場合、上記（１９）に示すハンドオーバ条件を満たすため、判定部１１４はセルＩＤ＝「５」のセルをハンドオーバ先として決定する（Ｓ１５でＹｅｓ、Ｓ１６）。以降は第２の実施の形態と同様である。
【０２３３】
例えば、端末３０の要求スループットが「１Ｍｂｐｓ」のときで、自セルとｎ＝１番目の候補先セル（セルＩＤ＝「５」）の受信信号レベルが上記例と同一であるときは、「アルゴリズム」として「（２）」（＝上記（１８））が選択される。この場合、ハンドオーバ候補先セルの受信信号レベルが「−８６ｄＢｍ」であり、ハンドオーバ条件の「ハンドオーバ候補先セルの受信信号レベル＞−８０ｄＢｍ」を満たさないため、判定部１１４はハンドオーバ条件を満たさないと判定する（Ｓ１５でＮｏ）。
【０２３４】
判定部１１４は、ハンドオーバ条件を満足しないとき（Ｓ１５でＮｏ）、要求スループットが「３Ｍｂｐｓ」を超えるか否かを判定する（Ｓ６１）。
【０２３５】
例えば、要求スループットが「３Ｍｂｐｓ」を超える高スループット要求の場合（Ｓ６１でＹｅｓ）、ｎ＝１番目のハンドオーバ候補先セルがハンドオーバ条件を満足しない場合（Ｓ１５でＮｏ）、２番目や３番目などの受信信号レベルでも、小セルへのハンドオーバが行われる場合もある。そこで、かかる場合は、基地局１０は、一時優先順位で（ｎ＋１）番目のハンドオーバ候補先セルを選択して（Ｓ１８，Ｓ１９）に対してＳ５０などの処理を行う。
【０２３６】
一方、要求スループットが「３Ｍｂｐｓ」以下の低スループット要求の場合（Ｓ６１でＮｏ）、基地局１０は端末３０に対してハンドオーバをさせずに在圏セルに維持させるようにする（Ｓ１７）。これにより、例えば、低スループットの場合は極力ハンドオーバさせないというハンドオーバストラテジーを満足させることができる。
【０２３７】
このように本第６の実施の形態では、例えば上記（１９）や上記（２０）など、端末３０の要求スループットが閾値以上のときで、大セルから小セルへのハンドオーバに関しては、通常条件と比較して、端末３０がハンドオーバし易い条件となっている。また、本第６の実施の形態では、例えば、上記（１７）に示すように、端末３０の要求スループットが閾値より小さいときは、通常条件を比較して、端末３０はハンドオーバしずらい条件となっている。
【０２３８】
従って、本無線通信システム１００は、上記したハンドオーバストラテジーを満足させ、また、端末３０の要求スループットを満足させることもでき、これにより、オペレータの運用方針を反映させた運用を行うことが可能となる。運用方針を実現するために、本無線通信システム１００では新たに装置を設置させることもなく、コストの増加も防止できる。
【０２３９】
また、基地局１０では、テーブル１１３５に記憶されるハンドオーバ条件について、要求スループットとセルサイズに応じて変更可能となっている。従って、基地局１０を運用するオペレータは、ハンドオーバ条件が一律の場合と比較して柔軟な対応を行うこともできるし、要求スループットとセルサイズに応じたハンドオーバ条件を設定することも可能である。このようなハンドオーバ条件の変更に際して、新たに装置を設置するなど設備投資を行わなくてもよいため、本無線通信システム１００ではコストの増加を防止できる。
【０２４０】
［その他の実施の形態］
次に、その他の実施の形態について説明する。図２５はＢＢ部１１のハードウェア構成の構成例を表わす図である。
【０２４１】
ＢＢ部１１は、インタフェース１１０、ＣＰＵ（Central Processing Unit）１１５、ＲＯＭ（Read Only Memory）１１６、ＲＡＭ（Random Access Memory）１１７を備える。
【０２４２】
ＲＯＭ１１６にはプログラムが記憶され、ＣＰＵ１１５がプログラムを読み出してＲＡＭ１１７にロードし、ロードしたプログラムを適宜実行する。ＣＰＵ１１５がプログラムを実行することで、例えば、例えば、第２の実施の形態などで説明した端末受信報告処理部１１１、判定部１１４の機能を実現する。
【０２４３】
ＣＰＵ１１５は、例えば、第２の実施の形態における端末受信報告処理部１１１と判定部１１４に対応する。また、ＲＡＭ１１７は、例えば、第２の実施の形態における記憶部１１２とデータベース１１３に対応する。
【０２４４】
なお、図２４に示すＢＢ部１１は、例えば、端末３０のＢＢ部３１のハードウェア構成例を表わしていてもよい。
【０２４５】
以上の実施例を含む実施形態に関して、更に以下の付記を開示する。
【０２４６】
（付記１）
第１の通信可能領域を有する基地局装置と、前記第１の通信可能領域において前記基地局装置と接続して無線通信を行う端末装置とを備えた無線通信システムにおいて、
前記基地局装置は、前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定する判定部と、
前記決定した移動先に関する情報を送信する送信部を備え、
前記端末装置は前記決定した移動先に関する情報を受信する受信部を備え、前記端末装置は前記決定した移動先に関する情報に従って前記第２又は第３の通信可能領域へ移動することを特徴とする無線通信システム。
【０２４７】
（付記２）
前記移動条件には第１の移動条件と第２の移動条件が含まれ、
前記第１の移動条件には前記第１の通信可能領域が前記第２及び第３の通信可能領域よりも大きいときの移動条件が含まれ、
前記第２の移動条件には前記第１の通信可能領域が前記第２及び第３の通信可能領域よりも小さいときの移動条件が含まれることを特徴とする付記１記載の無線通信システム。
【０２４８】
（付記３）
前記第１の移動条件には、前記第２の移動条件よりも、前記端末装置の移動が行われない条件が含まれることを特徴とする付記２記載の無線通信システム。
【０２４９】
（付記４）
前記第１の移動条件は、前記第１の通信可能領域における前記端末装置の受信信号レベルよりも前記第２及び第３の通信可能領域に対応する前記端末装置の受信信号レベルの方が高く、かつ、前記第２及び第３の通信可能領域に対応する前記端末装置の受信信号レベルが第１の閾値より高いときに前記端末装置を移動させる条件であり、
前記第２の移動条件は、前記第１の通信可能領域における前記端末装置の受信信号レベルよりも前記第２及び第３の通信可能領域に対応する前記端末装置の受信信号レベルの方が高く、かつ、前記第２及び第３の通信可能領域に対応する前記端末装置の受信信号レベルが第２の閾値より高いときに前記端末装置を移動させる条件であり、
前記第１の閾値は前記第２の閾値よりも受信信号レベルが高い閾値であることを特徴とする付記３記載の無線通信システム。
【０２５０】
（付記５）
前記第１の移動条件には、前記第２の移動条件よりも、前記端末装置の移動が行われる条件が含まれることを特徴とする付記２記載の無線通信システム。
【０２５１】
（付記６）
前記第１の移動条件は、前記第１の通信可能領域における前記端末装置の受信信号レベルよりも前記第２及び第３の通信可能領域に対応する前記端末装置の受信信号レベルの方が高く、かつ、前記第２及び第３の通信可能領域に対応する前記端末装置の受信信号レベルが第３の閾値より高いときに前記端末装置を移動させる条件であり、
前記第２の移動条件は、前記第１の通信可能領域における前記端末装置の受信信号レベルよりも前記第２及び第３の通信可能領域に対応する前記端末装置の受信信号レベルの方が高く、かつ、前記第２及び第３の通信可能領域に対応する前記端末装置の受信信号レベルが第４の閾値より高いときに前記端末装置を移動させる条件であり、
前記第４の閾値は前記第３の閾値よりも受信信号レベルが高い閾値あることを特徴とする付記５記載の無線通信システム。
【０２５２】
（付記７）
前記移動条件には第３及び第４の移動条件が含まれ、
前記第３の移動条件には前記電源残量が第５の閾値以下のときにおける移動条件が含まれ、
前記第４の移動条件には前記電源残量が前記第５の閾値より大きいときにおける移動条件が含まれることを特徴とする付記１記載の無線通信システム。
【０２５３】
（付記８）
前記第３の移動条件には、前記第４の移動条件よりも、前記端末装置の移動が行われる条件が含まれることを特徴とする付記７記載の無線通信システム。
【０２５４】
（付記９）
前記第３の移動条件は、前記電源残量が前記第５の閾値以下のときにおいて、前記第１の通信可能領域における前記端末装置の受信信号レベルよりも前記第２及び第３の通信可能領域に対応する前記端末装置の受信信号レベルの方が高いとき、又は、前記第１の通信可能領域における前記端末装置の受信信号レベルよりも前記第２及び第３の通信可能領域に対応する前記端末装置の受信信号レベルの方が高く、かつ、前記端末装置の受信信号レベルが第６の閾値よりも高いときに前記端末装置を移動させる条件であり、
前記第４の移動条件は、前記電源残量が前記第５の閾値より大きいときにおいて、前記第１の通信可能領域における前記端末装置の受信信号レベルよりも前記第２及び第３の通信可能領域に対応する前記端末装置の受信信号レベルの方が高く、かつ、前記端末装置の受信信号レベルが第７の閾値よりも高いときに前記端末装置を移動させる条件であり、
前記第７の閾値は前記第６の閾値よりも受信信号レベルが高い閾値であることを特徴とする付記８記載の無線通信システム。
【０２５５】
（付記１０）
前記移動条件には前記電源残量と前記第１乃至第３の通信可能領域の大きさに基づいて異なる第５及び第６の移動条件が含まれることを特徴とする付記１記載の無線通信システム。
【０２５６】
（付記１１）
前記第５の移動条件には前記電源残量が第５の閾値以下のときにおける移動条件が含まれ、
前記第６の移動条件には前記電源残量が前記第５の閾値より大きいときであって、前記第１の通信可能領域が前記第２及び第３の通信可能領域よりも大きいときと前記第１の通信可能領域が前記第２及び第３の通信可能領域よりも小さいときのいずれか一方が、他方と比較して前記端末装置の移動が行われない条件が含まれることを特徴とする付記１０記載の無線通信システム。
【０２５７】
（付記１２）
前記第５の移動条件は、前記電源残量が前記第５の閾値以下のときにおいて、前記第１の通信可能領域における前記端末装置の受信信号レベルよりも前記第２及び第３の通信可能領域に対応する前記端末装置の受信信号レベルの方が高いとき、又は、前記第１の通信可能領域における前記端末装置の受信信号レベルよりも前記第２及び第３の通信可能領域に対応する前記端末装置の受信信号レベルの方が高く、かつ、前記端末装置の受信信号レベルが第７の閾値よりも高いときに前記端末装置を移動させる条件であり、
前記第６の移動条件は、前記電源残量が前記第５の閾値より大きいときにおいて、前記第１の通信可能領域における前記端末装置の受信信号レベルよりも前記第２及び第３の通信可能領域に対応する前記端末装置の受信信号レベルの方が高く、かつ、前記第１の通信可能領域が前記第２及び第３の通信可能領域よりも大きいときと前記第１の通信可能領域が前記第２及び第３の通信可能領域よりも小さいときのいずれか一方の前記第２及び第３の通信可能領域に対応する受信信号レベルは他方と比較し高い方の前記第２及び第３の通信可能領域の受信信号レベルが第８の閾値よりも高いときに前記端末装置を移動させる条件であり、
前記第８の閾値は前記第７の閾値よりも受信信号レベルが高い閾値であることを特徴とする付記１１記載の無線通信システム。
【０２５８】
（付記１３）
前記移動条件には、前記第１乃至第３の通信可能領域の大きさと前記端末装置から送信された要求スループットとに基づいて異なる第７及び第８の移動条件が含まれることを特徴とする付記１記載の無線通信システム。
【０２５９】
（付記１４）
前記第７の移動条件には前記要求スループットが第９の閾値以下のときであって、前記第１の通信可能領域が前記第２及び第３の通信可能領域よりも大きいときは前記第１の通信可能領域が前記第２及び第３の通信可能領域よりも小さいときよりも前記端末装置が移動しない条件が含まれ、
前記第８の移動条件には前記要求スループットが第１０の閾値より高いときにおける移動条件が含まれることを特徴とする付記１３記載の無線通信システム。
【０２６０】
（付記１５）
前記第７の移動条件は、前記要求スループットが前記第９の閾値以下のときであって、前記第１の通信可能領域における前記端末装置の受信信号レベルよりも前記第２及び第３の通信可能領域に対応する前記端末装置の受信信号レベルの方が高く、かつ、前記端末装置の受信信号レベルが第１１の閾値よりも高いときに前記端末装置を移動させる条件であり、
前記第８の移動条件は、前記要求スループットが第１０の閾値より高いときであって、前記第１の通信可能領域における前記端末装置の受信信号レベルよりも前記第２及び第３の通信可能領域に対応する前記端末装置の受信信号レベルの方が高い、又は、前記第１の通信可能領域における前記端末装置の受信信号レベルよりも前記第２及び第３の通信可能領域に対応する前記端末装置の受信信号レベルの方が高く、かつ、前記端末装置の受信信号レベルが第１２の閾値よりも高いときに前記端末装置を移動させる条件であり、
前記第１１の閾値は前記第１２の閾値よりも受信信号レベルが高い閾値であることを特徴とする付記１４記載の無線通信システム。
【０２６１】
（付記１６）
前記判定部は、前記第２及び第３の通信可能領域にそれぞれ対応する第１及び第２の受信信号レベルを高い順に順位付けを行い、受信信号レベルの高い順に前記第２又は第３の通信可能領域に対して前記移動条件に基づいて前記端末装置の移動先を決定することを特徴とする付記１記載の無線通信システム。
【０２６２】
（付記１７）
前記第２の通信可能領域は前記基地局装置又は他の基地局装置に収容され、前記第３の通信可能領域は前記基地局装置又は前記他の基地局装置に収容されることを特徴する付記１記載の無線通信システム。
【０２６３】
（付記１８）
第１の通信可能領域を有する基地局装置と、前記第１の通信可能領域において前記基地局装置と接続して無線通信を行う端末装置とを備えた無線通信システムにおける無線通信制御方法であって、
前記基地局装置によって、前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定し、
前記基地局装置によって、前記決定した移動先に関する情報を送信し、
前記端末装置によって、前記決定した移動先に関する情報を受信し、前記決定した移動先に関する情報に従って前記第２又は第３の通信可能領域へ移動する
ことを特徴とする無線通信制御方法。
【０２６４】
（付記１９）
第１の通信可能領域を有し、前記第１の通信可能領域において端末装置と接続して無線通信を行う基地局装置において、
前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定する判定部と、
前記決定した移動先に関する情報を前記端末装置へ送信する送信部と
を備えることを特徴とする基地局装置。
【０２６５】
（付記２０）
第１の通信可能領域を有する基地局装置と、前記第１の通信可能領域において前記基地局装置と接続して無線通信を行う端末装置とを備えた無線通信システムにおいて、
前記基地局装置は、前記第１の通信可能領域から、前記第１の通信可能領域とは異なる大きさであって前記第１の通信可能領域の一部又は全部が重複した第２又は第３の通信可能領域へ前記端末装置が移動するとき、前記第１乃至第３の通信可能領域の大きさ又は前記端末装置から送信された前記端末装置の電源残量に応じて変更可能な移動条件に基づいて、前記端末装置の移動先を決定して、前記決定した移動先に関する情報を送信するプロセッサを備え、
前記端末装置は前記決定した移動先に関する情報を受信するプロセッサを備え、前記端末装置は前記決定した移動先に関する情報に従って前記第２又は第３の通信可能領域へ移動することを特徴とする無線通信システム。
【符号の説明】
【０２６６】
１０（１０−１〜１０−７、１０−１０〜１０−１５）：基地局装置（基地局）
１０−Ａ：マクロセル                  １０−Ｂ，１０−Ｅ：マイクロセル
１０−Ｃ，１０−Ｆ：ピコセル          １０−Ｄ，１０−Ｇ：フェムトセル
１０−Ｈ〜１０−Ｎ，１０−Ｘ，１０−Ｙ：セル  
１１：ＢＢ部                          １２：ＤＰＤ／ＤＡＣ
１３：ＰＡ                            １４：Ｆｉｌｔｅｒ
１５ａ，１５ｂ：アンテナ              １６：ＬＮＡ
１７：ＡＤＣ                          ２０：電源モジュール
３０：端末装置（端末）                ３１：ＢＢ部
３８：電源モジュール                  １００：無線通信システム
１１０：インタフェース                １１１：端末受信報告処理部
１１２：記憶部                        １１３：データベース
１１４：判定部                        １１５：ＣＰＵ  
１１２０，１１３０〜１１３５：テーブル
【図１】
2015023449.tif 000003
【図２】
2015023449.tif 000004
【図３】
2015023449.tif 000005
【図４】
2015023449.tif 000006
【図５】
2015023449.tif 000007
【図６】
2015023449.tif 000008
【図７】
2015023449.tif 000009
【図８】
2015023449.tif 000010
【図９】
2015023449.tif 000011
【図１０】
2015023449.tif 000012
【図１１】
2015023449.tif 000013
【図１２】
2015023449.tif 000014
【図１３】
2015023449.tif 000015
【図１４】
2015023449.tif 000016
【図１５】
2015023449.tif 000017
【図１６】
2015023449.tif 000018
【図１７】
2015023449.tif 000019
【図１８】
2015023449.tif 000020
【図１９】
2015023449.tif 000021
【図２０】
2015023449.tif 000022